(57)【要約】【課題】燃料電池を有する発電部を備える電子機器において、燃料電池で生成された水の排出に伴って、電子機器や、その周囲の物が濡れないようにする。【解決手段】燃料容器６内の燃料と水が燃料電池型発電部７に供給されることによって発電が行われるとともに、水が生成される。電子機器の周囲の湿度を検出し、検出された湿度の値が閾値Ｍｂ以下の場合には、バルブ３が開弁することによって、燃料電池型発電部７で生成された水が直接排出される。検出された湿度の値が閾値Ｍｂを越える場合、バルブ２及びバルブ４が開弁することによって、燃料電池型発電部７で生成された水が生成水タンク９に貯留される。【選択図】図１
2008041499.tif 000002
【特許請求の範囲】
【請求項１】
燃料電池が搭載され、該燃料電池によって発電された電力によって駆動される電子機器において、
前記燃料電池を有し、該燃料電池において生成された気体状の水を含む排気を排出する発電部と、
前記排気に含まれる気体状の水を含む気体を外部へ排出する排出部と、
前記排気に含まれる気体状の水を液体として回収する回収部と、
前記回収部により回収された水を貯留する貯留部と、
当該電子機器の周囲の環境状態に基づいて、前記排出部から外部へ排出される前記気体中の気体状の水の量を制御する手段を有する制御部と、
を備えることを特徴とする電子機器。
【請求項２】
燃料電池が搭載され、該燃料電池によって発電された電力によって駆動される電子機器において、
前記燃料電池を有し、該燃料電池において生成された気体状の水を含む排気を排出する発電部と、
前記排気に含まれる気体状の水を含む気体を外部へ排出する排出部と、
前記排気に含まれる気体状の水を液体として回収する回収部と、
前記回収部により回収された水を貯留する貯留部と、
当該電子機器の使用状態に基づいて、前記排出部から外部へ排出される前記気体中の気体状の水の量を制御する手段を有する制御部と、
を備えることを特徴とする電子機器。
【請求項３】
前記回収部は、前記排気を冷却して、該排気に含まれる気体状の水を液体化する冷却手段を有することを特徴とする請求項１又は２に記載の電子機器。
【請求項４】
前記排出部は、前記排気から前記回収部において回収された気体状の水を除いた残りを外部へ排出する手段を含むことを特徴とする請求項１又は２に記載の電子機器。
【請求項５】
前記電子機器は、更に、当該電子機器の周囲の環境状態として周囲の湿度を検出する湿度検出部を備えることを特徴とする請求項１に記載の電子機器。
【請求項６】
前記制御部は、前記湿度検出部によって検出された湿度の値に応じて、前記排出部から外部へ排出される前記気体中の気体状の水の量を制御する手段を有することを特徴とする請求項５に記載の電子機器。
【請求項７】
前記排出部は、前記排気を、前記回収部を経ずに外部へ排出する第１の排出部と、前記回収部を経て、前記排気から該回収部において回収された気体状の水を除いた残りを外部へ排出する第２の排出部と、を備え、
前記制御部は、前記湿度検出部によって検出された湿度の値が所定の閾値を越える値である場合に、前記第１の排出部における前記排気の外部への排出を行わないように制御する手段を有することを特徴とする請求項５に記載の電子機器。
【請求項８】
前記電子機器は、更に、前記貯留部内の水の貯留量を検出する貯留量検出部を備え、
前記制御部は、前記貯留量検出部によって貯留量が満杯であることが検出された場合に、前記排気を前記排出部より外部へ排出するとともに、前記排気に含まれる気体状の水の前記回収部への回収を行わないように制御する手段を有することを特徴とする請求項１又は２に記載の電子機器。
【請求項９】
前記電子機器は、更に、操作されることで入力信号を出力する入力部を備え、
前記制御部は、前記電子機器の使用状態として前記入力部が最後に操作されてから経過した時間に応じて、前記排出部から外部へ排出される前記気体中の気体状の水の量を制御する手段を有することを特徴とする請求項２に記載の電子機器。
【請求項１０】
前記電子機器は、更に、前記排出部より気体を外部へ排出するための排出口と、前記排出口から該排出口の近傍にある障害物までの距離を当該電子機器の使用状態として検出する距離検出部と、を備え、
前記制御部は、前記距離検出部によって検出された前記障害物までの距離の値に応じて、前記排出部から外部へ排出される前記気体中の気体状の水の量を制御する手段を有することを特徴とする請求項２に記載の電子機器。
【請求項１１】
前記電子機器は、更に、人体が接触したことを当該電子機器の使用状態として検出する接触検出部を備え、
前記制御部は、前記接触検出部により接触が検出された結果に応じて、前記排出部から外部へ排出される前記気体中の気体状の水の量を制御する手段を有することを特徴とする請求項２に記載の電子機器。
【請求項１２】
前記電子機器は、更に、前記貯留部の水を蒸発させて水蒸気を生成する蒸発器を備え、前記排出部は前記蒸発器によって生成された水蒸気を外部に排出する手段を含むことを特徴とする請求項１又は２に記載の電子機器。
【請求項１３】
前記蒸発器は、一端が閉塞され、他端が前記電子機器の外部に開口された排気管に囲われ、前記貯留部に接続して設けられた誘導部に接続され、多孔質材と該多孔質材を加熱する加熱手段を備え、
前記誘導部は、前記貯留部に接続された管材と、該管材内に充填された繊維材料及び多孔質材の何れかからなることを特徴とする請求項１２に記載の電子機器。
【請求項１４】
前記蒸発器は、前記貯留部に接続して設けられた誘導部に接続され、多孔質材が充填され、一端が前記電子機器の外部に開口された管材と、該管材を加熱する加熱手段とを備え、
前記誘導部は、前記貯留部に接続された管材と、該管材内に充填された繊維材料及び多孔質材の何れかからなることを特徴とする請求項１２に記載の電子機器。
【請求項１５】
前記電子機器は、更に、周囲の湿度を検出する湿度検出部を備えることを特徴とする請求項１２に記載の電子機器。
【請求項１６】
前記制御部は、前記湿度検出部によって検出された湿度の値に応じて、前記蒸発器の動作を制御する手段を有することを特徴とする請求項１５に記載の電子機器。
【請求項１７】
前記制御部は、前記湿度検出部によって検出された湿度の値が所定の閾値を越える値である場合に、前記蒸発器を動作させないように制御する手段を有することを特徴とする請求項１６に記載の電子機器。
【請求項１８】
前記制御部は、前記発電部における前記燃料電池が発電を行っており、前記湿度検出部によって検出された湿度の値が所定の閾値以下である場合に、前記燃料電池により発電された電力に基づいて前記蒸発器を動作させるように制御する手段を有することを特徴とする請求項１５に記載の電子機器。
【請求項１９】
前記電子機器は、更に、外部から供給される交流電力を直流に変換して当該電子機器の各部に供給する直流変換部を備え、
前記制御部は、前記直流変換部に外部から交流電力が供給され、且つ、前記湿度検出部によって検出された湿度の値が所定の閾値以下である場合に、前記直流変換部から供給される電力に基づいて前記蒸発器を動作させるように制御する手段を有することを特徴とする請求項１５に記載の電子機器。
【請求項２０】
前記電子機器は、更に、外部から供給される電力や前記燃料電池により発電される電力を蓄電して保持する電力保持部を備え、
前記制御部は、前記電力保持部に保持されている蓄電量が所定の閾値以上であって、且つ、前記湿度検出部によって検出された湿度の値が所定の閾値以下である場合に、前記電力保持部より供給される電力に基づいて前記蒸発器を動作させるように制御する手段を有することを特徴とする請求項１５に記載の電子機器。
【請求項２１】
前記電子機器は、更に、操作されることで入力信号を出力する入力部を備え、
前記制御部は、前記入力部が最後に操作されてから経過した時間に応じて前記蒸発器の動作を制御する手段を有することを特徴とする請求項１２に記載の電子機器。
【請求項２２】
前記電子機器は、更に、前記排出部より気体を外部へ排出するための排出口と、前記排出口から該排出口の近傍にある障害物までの距離を検出する距離検出部と、を備え、
前記制御部は、前記距離検出部によって検出された前記障害物までの距離の値に応じて前記蒸発器の動作を制御する手段を有することを特徴とする請求項１２に記載の電子機器。
【請求項２３】
前記電子機器は、更に、人体が接触したことを検出する接触検出部を備え、
前記制御部は、前記接触検出部により検出された結果に応じて前記蒸発器の動作を制御する手段を有することを特徴とする請求項１２に記載の電子機器。
【請求項２４】
前記電子機器は、前記貯留部内の水の貯留量を検出する貯留量検出部と、前記貯留部内の水を前記燃料電池の動作用の水として供給する手段と、を備え、
前記排出部は、前記排気を、前記回収部を経ずに外部へ排出する第１の排出部と、前記回収部を経て、前記排気から該回収部において回収された気体状の水を除いた残りを外部へ排出する第２の排出部と、を備え、
前記制御部は、前記貯留量検出部によって検出された貯留量が予め設定された所定量以下である場合に、前記第１の排出部における前記排気の外部への排出を行わないように制御する手段を有することを特徴とする請求項１又は２に記載の電子機器。
【請求項２５】
前記所定量は、前記発電部における前記燃料電池の起動に必要な水の量であることを特徴とする請求項２４に記載の電子機器。
【発明の詳細な説明】
【技術分野】
【０００１】
本発明は、燃料電池が搭載され、燃料電池によって発電された電力によって駆動される電子機器に関する。
【背景技術】
【０００２】
近年では、携帯電話機、ノート型パーソナルコンピュータ、デジタルカメラ、腕時計、ＰＤＡ（Personal Digital Assistance）、電子手帳等といった携帯型の電子機器がめざましい進歩・発展を遂げている。このような電子機器における消費電力の増加に対応して、その電源として、燃料電池を用いた発電部を備えるものが提案されている（特許文献１参照）。この燃料電池においては、発電を行って電力を取り出すためにはメタノール等の発電用の燃料を必要とする。また、燃料電池で発電を行うと、同時に水が生成される。この燃料電池で生成された水は、例えば燃料電池を有する発電部内や電子機器内に設けられる回収容器に貯留される。この回収容器が満杯になると、それ以上発電を行うことができなくなるため、例えば、回収容器内の水を回収し、蒸発させて外気に放出する構成が提案されている。
【特許文献１】特開２００４−１１９０２７号公報
【発明の開示】
【発明が解決しようとする課題】
【０００３】
しかしながら、燃料電池で生成された水の排出方法として、回収された水を蒸発させて排出するようにした場合、周囲の湿度が比較的高いと、蒸発させた水が結露し、それによって電子機器や、その周囲にあるものが濡れてしまうという問題があった。また、携帯型の電子機器は人が手に持って操作する場合がある。そのときに回収された水を蒸発させて排出していると、電子機器の使用者の手などが濡れることがあるという問題があった。
そこで、本発明は、上記のような問題点を解決しようとしてなされたものであり、燃料電池で生成された水の排出に伴って、燃料電池を用いた電子機器や、その周囲の物、あるいは電子機器の使用者が濡れないようにすることを目的とする。
【課題を解決するための手段】
【０００４】
以上の課題を解決するために、請求項１に係る発明は、燃料電池が搭載され、該燃料電池によって発電された電力によって駆動される電子機器において、前記燃料電池を有し、該燃料電池において生成された気体状の水を含む排気を排出する発電部と、前記排気に含まれる気体状の水を含む気体を外部へ排出する排出部と、前記排気に含まれる気体状の水を液体として回収する回収部と、前記回収部により回収された水を貯留する貯留部と、当該電子機器の周囲の環境状態に基づいて、前記排出部から外部へ排出される前記気体中の気体状の水の量を制御する手段を有する制御部と、を備えることを特徴とする。
【０００５】
請求項２に係る発明は、燃料電池が搭載され、該燃料電池によって発電された電力によって駆動される電子機器において、前記燃料電池を有し、該燃料電池において生成された気体状の水を含む排気を排出する発電部と、前記排気に含まれる気体状の水を含む気体を外部へ排出する排出部と、前記排気に含まれる気体状の水を液体として回収する回収部と、前記回収部により回収された水を貯留する貯留部と、当該電子機器の使用状態に基づいて、前記排出部から外部へ排出される前記気体中の気体状の水の量を制御する手段を有する制御部と、を備えることを特徴とする電子機器。
【０００６】
請求項３に係る発明は、請求項１又は２に記載の電子機器において、前記回収部は、前記排気を冷却して、該排気に含まれる気体状の水を液体化する冷却手段を有することを特徴とする。
【０００７】
請求項４に係る発明は、請求項１又は２に記載の電子機器において、前記排出部は、前記排気から前記回収部において回収された気体状の水を除いた残りを外部へ排出する手段を含むことを特徴とする。
【０００８】
請求項５に係る発明は、請求項１に記載の電子機器において、前記電子機器は、更に、当該電子機器の周囲の環境状態として周囲の湿度を検出する湿度検出部を備えることを特徴とする。
【０００９】
請求項６に係る発明は、請求項５に記載の電子機器において、前記制御部は、前記湿度検出部によって検出された湿度の値に応じて、前記排出部から外部へ排出される前記気体中の気体状の水の量を制御する手段を有することを特徴とする。
【００１０】
請求項７に係る発明は、請求項５に記載の電子機器において、前記排出部は、前記排気を、前記回収部を経ずに外部へ排出する第１の排出部と、前記回収部を経て、前記排気から該回収部において回収された気体状の水を除いた残りを外部へ排出する第２の排出部と、を備え、前記制御部は、前記湿度検出部によって検出された湿度の値が所定の閾値を越える値である場合に、前記第１の排出部における前記排気の外部への排出を行わないように制御する手段を有することを特徴とする。
【００１１】
請求項８に係る発明は、請求項１又は２に記載の電子機器において、前記電子機器は、更に、前記貯留部内の水の貯留量を検出する貯留量検出部を備え、前記制御部は、前記貯留量検出部によって貯留量が満杯であることが検出された場合に、前記排気を前記排出部より外部へ排出するとともに、前記排気に含まれる気体状の水の前記回収部への回収を行わないように制御する手段を有することを特徴とする。
【００１２】
請求項９に係る発明は、請求項２に記載の電子機器において、前記電子機器は、更に、操作されることで入力信号を出力する入力部を備え、前記制御部は、前記電子機器の使用状態として前記入力部が最後に操作されてから経過した時間に応じて、前記排出部から外部へ排出される前記気体中の気体状の水の量を制御する手段を有することを特徴とする。
【００１３】
請求項１０に係る発明は、請求項２に記載の電子機器において、前記電子機器は、更に、前記排出部より気体を外部へ排出するための排出口と、前記排出口から該排出口の近傍にある障害物までの距離を当該電子機器の使用状態として検出する距離検出部と、を備え、前記制御部は、前記距離検出部によって検出された前記障害物までの距離の値に応じて、前記排出部から外部へ排出される前記気体中の気体状の水の量を制御する手段を有することを特徴とする。
【００１４】
請求項１１に係る発明は、請求項２に記載の電子機器において、前前記電子機器は、更に、人体が接触したことを当該電子機器の使用状態として検出する接触検出部を備え、前記制御部は、前記接触検出部により接触が検出された結果に応じて、前記排出部から外部へ排出される前記気体中の気体状の水の量を制御する手段を有することを特徴とする。
【００１５】
請求項１２に係る発明は、請求項１又は２に記載の電子機器において、前記電子機器は、更に、前記貯留部の水を蒸発させて水蒸気を生成する蒸発器を備え、前記排出部は前記蒸発器によって生成された水蒸気を外部に排出する手段を含むことを特徴とする。
【００１６】
請求項１３に係る発明は、請求項１２に記載の電子機器において、前記蒸発器は、一端が閉塞され、他端が前記電子機器の外部に開口された排気管に囲われ、前記貯留部に接続して設けられた誘導部に接続され、多孔質材と該多孔質材を加熱する加熱手段を備え、前記誘導部は、前記貯留部に接続された管材と、該管材内に充填された繊維材料及び多孔質材の何れかからなることを特徴とする。
【００１７】
請求項１４に係る発明は、請求項１２に記載の電子機器において、前記蒸発器は、前記貯留部に接続して設けられた誘導部に接続され、多孔質材が充填され、一端が前記電子機器の外部に開口された管材と、該管材を加熱する加熱手段とを備え、前記誘導部は、前記貯留部に接続された管材と、該管材内に充填された繊維材料及び多孔質材の何れかからなることを特徴とする。
【００１８】
請求項１５に係る発明は、請求項１２に記載の電子機器において、前記電子機器は、更に、周囲の湿度を検出する湿度検出部を備えることを特徴とする。
【００１９】
請求項１６に係る発明は、請求項１５に記載の電子機器において、前記制御部は、前記湿度検出部によって検出された湿度の値に応じて、前記蒸発器の動作を制御する手段を有することを特徴とする。
【００２０】
請求項１７に係る発明は、請求項１６に記載の電子機器において、前記制御部は、前記湿度検出部によって検出された湿度の値が所定の閾値を越える値である場合に、前記蒸発器を動作させないように制御する手段を有することを特徴とする。
【００２１】
請求項１８に係る発明は、請求項１５に記載の電子機器において、前記制御部は、前記発電部における前記燃料電池が発電を行っており、前記湿度検出部によって検出された湿度の値が所定の閾値以下である場合に、前記燃料電池により発電された電力に基づいて前記蒸発器を動作させるように制御する手段を有することを特徴とする。
【００２２】
請求項１９に係る発明は、請求項１５に記載の電子機器において、前記電子機器は、更に、外部から供給される交流電力を直流に変換して当該電子機器の各部に供給する直流変換部を備え、前記制御部は、前記直流変換部に外部から交流電力が供給され、且つ、前記湿度検出部によって検出された湿度の値が所定の閾値以下である場合に、前記直流変換部から供給される電力に基づいて前記蒸発器を動作させるように制御する手段を有することを特徴とする。
【００２３】
請求項２０に係る発明は、請求項１５に記載の電子機器において、前記電子機器は、更に、外部から供給される電力や前記燃料電池により発電される電力を蓄電して保持する電力保持部を備え、前記制御部は、前記電力保持部に保持されている蓄電量が所定の閾値以上であって、且つ、前記湿度検出部によって検出された湿度の値が所定の閾値以下である場合に、前記電力保持部より供給される電力に基づいて前記蒸発器を動作させるように制御する手段を有することを特徴とする。
【００２４】
請求項２１に係る発明は、請求項１２に記載の電子機器において、前記電子機器は、更に、操作されることで入力信号を出力する入力部を備え、前記制御部は、前記入力部が最後に操作されてから経過した時間に応じて前記蒸発器の動作を制御する手段を有することを特徴とする。
【００２５】
請求項２２に係る発明は、請求項１２に記載の電子機器において、前記電子機器は、更に、前記排出部より気体を外部へ排出するための排出口と、前記排出口から該排出口の近傍にある障害物までの距離を検出する距離検出部と、を備え、前記制御部は、前記距離検出部によって検出された前記障害物までの距離の値に応じて前記蒸発器の動作を制御する手段を有することを特徴とする。
【００２６】
請求項２３に係る発明は、請求項１２に記載の電子機器において、前記電子機器は、更に、人体が接触したことを検出する接触検出部を備え、前記制御部は、前記接触検出部により検出された結果に応じて前記蒸発器の動作を制御する手段を有することを特徴とする。
【００２７】
請求項２４に係る発明は、請求項１又は２に記載の電子機器において、前記電子機器は、前記貯留部内の水の貯留量を検出する貯留量検出部と、前記貯留部内の水を前記燃料電池の動作用の水として供給する手段と、を備え、前記排出部は、前記排気を、前記回収部を経ずに外部へ排出する第１の排出部と、前記回収部を経て、前記排気から該回収部において回収された気体状の水を除いた残りを外部へ排出する第２の排出部と、を備え、前記制御部は、前記貯留量検出部によって検出された貯留量が予め設定された所定量以下である場合に、前記第１の排出部における前記排気の外部への排出を行わないように制御する手段を有することを特徴とする。
【００２８】
請求項２５に係る発明は、請求項２４に記載の電子機器において、前記所定量は、前記発電部における前記燃料電池の起動に必要な水の量であることを特徴とする。
【発明の効果】
【００２９】
本発明によれば、燃料電池を有し、燃料電池から気体状の水を含む排気を排出する発電部と、排気に含まれる気体状の水の少なくとも一部を含む気体を外部に排出する手段と、排気に含まれる気体状の水の少なくとも一部を回収して貯留する手段とを有する電子機器において、電子機器の周囲の環境状態及び電子機器の使用状態の少なくともいずれか一方に基づいて、外部に排出する気体中の水の量が制御されるので、電子機器や電子機器の周囲の物が結露によって濡れること、あるいは、電子機器の使用者が濡れることを抑制することができる。
【発明を実施するための最良の形態】
【００３０】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００３１】
本発明を適用した電子機器は、例えば携帯電話機、ノート型パーソナルコンピュータ、デジタルカメラ、腕時計、ＰＤＡ（Personal Digital Assistance）、電子手帳等といった携帯型電子機器であり、燃料電池を有する発電部１００を備えるものである。まず、本発明における、燃料電池を備える発電部１００の構成について説明する。図１は、本発明における発電部１００の構成を示すブロック図である。
【００３２】
図１に示すように、発電部１００は、燃料容器６、燃料電池型発電部７、回収部８、生成水タンク（貯留部）９、誘導部１０、蒸発器１１及びバルブ２〜４を有する。
【００３３】
燃料容器６には発電用燃料としての液体燃料（例えば、メタノール、エタノール、ジメチルエーテル）と水が別々に又は混合された状態で貯留されている。この燃料容器６は例えば電子機器の本体に対して着脱可能とされており、燃料容器６内の燃料と水が無くなったら燃料容器６を交換することができる。
【００３４】
燃料電池型発電部７は、例えば、気化器、改質器、一酸化炭素除去器、発電セル、液体ポンプ、気体ポンプ、流量センサ、ヒータ、バルブ等から構成されており、電子機器の外の空気が気体ポンプによって一酸化炭素除去器及び発電セルに送られ、燃料容器６の燃料と水が液体ポンプによって気化器に送液され、気化器において燃料と水が加熱されて気化され、改質器によって燃料と水の混合気から改質ガス（水素、二酸化炭素、一酸化炭素等を含む。）が生成され、一酸化炭素除去器によって改質ガス中の一酸化炭素が酸化により除去され、発電セルにおいて改質ガス中の水素と空気中の酸素との電気化学反応が起こることで電力が取り出されるとともに気体状の水（水蒸気）が生成され、この水蒸気と窒素や酸素、二酸化炭素等を含む気体（排気）が排出される。なお、燃料電池型発電部７は気化器及び燃料電池等から構成されたものでもよい。この場合、燃料容器６の燃料が気化器に送液され、気化器において燃料と水が混合されて蒸発され、燃料電池において燃料・水と空気中の酸素との電気化学反応が起こることで電力が取り出されるとともに気体状の水（水蒸気）を含む排気が排出される。
【００３５】
燃料電池型発電部７で生成された水蒸気を含む排気は、バルブ３（第１の排出部）を介して電子機器の外に排出される場合と、バルブ２を介して回収部８に送られる場合とがある。回収部８は、例えば熱交換器等を有し、例えば排気中の水蒸気を冷却して少なくともその一部を液体状の水として回収する冷却手段を有する。冷却手段によって冷却され、液体化された水は回収部８から生成水タンク９に送られる。また、回収部８は、供給された排気から熱交換器等によって回収された水蒸気を除いた気体をバルブ４（第２の排出部）を介して電子機器の外に排出する構成を有する。生成水タンク９に送られた水は生成水タンク９に貯留される。生成水タンク９に貯留された水は誘導部１０を介して蒸発器１１に送られ、蒸発器１１で蒸発されて、外部に蒸散される。
【００３６】
バルブ２〜４は開弁することによって流体の流れを許容し、閉弁することによって流体の流れを阻止するものである。燃料電池型発電部７で生成された水（水蒸気）の送り先はバルブ２〜４の開閉に応じて決まる。つまり、バルブ３が開弁するとともにバルブ２及びバルブ４が閉弁すれば、燃料電池型発電部７で生成された水蒸気の送り先が電子機器の外部に切り替わり、バルブ３が閉弁するとともにバルブ２及びバルブ４が開弁すれば、燃料電池型発電部７で生成された水蒸気の送り先が生成水タンク９に切り替わる。
【００３７】
図２は、発電部１００における生成水タンク９、誘導部１０及び蒸発器１１の第１の例を示す断面図である。第１の例においては、図２に示すように、生成水タンク９の下部には孔１２が形成され、孔１２に誘導部１０が接続され、誘導部１０に蒸発器１１が接続されている。誘導部１０は管１３及び繊維材料１４から構成され、管１３が生成水タンク９の孔１２に接続され、管１３内には繊維材料１４が充填されている。蒸発器１１はセラミック多孔質材１５及びヒータ１６から構成され、一端が閉塞され、他端が電子機器の外部に開口された排気管１７に囲われている。ヒータ１６に電力が供給されて加熱されると蒸発器１１が作動し、ヒータ１６への電力供給が停止されると蒸発器１１が停止する。ヒータ１６は平面型ヒータであり、セラミック多孔質材１５がヒータ１６上に搭載されている。生成水タンク９内の水は繊維材料１４に吸収され、セラミック多孔質材１５まで浸透する。セラミック多孔質材１５がヒータ１６によって加熱されると、セラミック多孔質材１５内の水が気化し、気化した水がセラミック多孔質材１５から蒸散する。蒸散した水は排気管１７の開口部から電子機器の外部に排出される。
【００３８】
図３は、発電部１００における生成水タンク９、誘導部１０及び蒸発器１１の第２の例を示す断面図である。図３において、図２と同一の構成要素には同一の符号を付して、説明を簡略化する。第２の例においては、図３に示すように、蒸発器１１はセラミック多孔質材１５、ヒータ１６及び金属管１８から構成され、金属管１８の一端が誘導部１０の管１３に接続され、他端が電子機器の外部に開口されている。金属管１８内にセラミック多孔質材１５が充填され、セラミック多孔質材１５が繊維材料１４に接し、電熱線であるヒータ１６が金属管１８に巻かれている。生成水タンク９内の水は繊維材料１４に吸収され、セラミック多孔質材１５まで浸透する。セラミック多孔質材１５がヒータ１６によって加熱されると、セラミック多孔質材１５内の水が気化し、気化した水がセラミック多孔質材１５から蒸散する。蒸散した水は金属管１８の開口部から電子機器の外部に排出される。
【００３９】
なお、第二バルブ３を通じた排気と、第三バルブ４を通じた排気と、蒸発器１１を通じた排気とが同じ排気口により行われても良いし、それぞれ別々の排気口により行われても良い。後述する湿度センサ２８は例えば排気管１７や金属管１８の開口部の近傍に設けられている。また、第二バルブ３を通じた排気と、第三バルブ４を通じた排気と、蒸発器１１を通じた排気とが別々の排気口により行われる場合に、湿度センサ２８を各排気口あるいは何れかの排気口の近傍に設けるようにしてもよい。
【００４０】
次に、上述の発電部１００を備える電子機器１の実施の形態について説明する。
【００４１】
〔第１の実施の形態〕
図４は、本発明における電子機器１の回路構成の第１の実施形態を示すブロック図である。図４に示すように、電子機器１には、燃料電池制御部２０、二次電池２１、電源切替制御部２２、直流変換部２３、記憶部２４、電力供給部２５、湿度センサ２８、電子機器制御部２９、表示部３０及びキー入力部３１等が設けられている。また、燃料容器６には残量検出部２７が設けられ、生成水タンク９には貯留量検出部２６が設けられている。
【００４２】
二次電池（電力保持部）２１は電気エネルギーを化学エネルギーの形にして蓄えるものである。直流変換部２３は電子機器１に外部から商用電源が接続されたとき、商用電源の交流電圧を直流電圧に変換するＡＣ−ＤＣコンバータである。直流変換部２３によって直流に変換された電力、及び燃料電池型発電部７で発生した電力が電源切替制御部２２に出力される。
【００４３】
電源切替制御部２２は、直流変換部２３から入力された電力や、燃料電池型発電部７から入力された電力の少なくとも一部を二次電池２１に蓄電する。また、電源切替制御部２２は、例えば、電子機器１に商用電源が接続され、直流変換部２３から電力が入力されている場合、直流変換部２３から入力された電力を電子機器の各部に供給し、直流変換部２３から電力が入力されていない場合、燃料電池型発電部７から入力された電力を電子機器の各部に供給する。また、電源切替制御部２２は、例えば、直流変換部２３から電力が入力されておらず、燃料電池型発電部７の起動中の場合や、駆動負荷が大きく、燃料電池型発電部７から入力される電力だけでは不足する場合に、二次電池２１の電力を電子機器の各部に供給する。また、電源切替制御部２２は、直流変換部２３と燃料電池型発電部７と二次電池２１のうちどの電力を用いているかを表す信号と、二次電池２１の蓄電量を表す信号とを燃料電池制御部２０及び電子機器制御部２９に出力する。
【００４４】
湿度センサ２８は湿度検出部であり、例えばセラミック湿度センサである。この湿度センサ２８は、電子機器の周囲の環境状態として、周囲の湿度を検出して、その湿度を表す湿度信号を燃料電池制御部２０に出力する。残量検出部２７は、燃料容器６内の燃料と水の残量を検出して、その残量を表す残量信号を燃料電池制御部２０に出力する。貯留量検出部２６は、生成水タンク９内の水の貯留量を検出して、その貯留量を表す貯留量信号を燃料電池制御部２０に出力する。燃料電池制御部２０に入力された残量信号、貯留量信号、湿度信号は電子機器制御部２９に転送される。
【００４５】
記憶部２４には燃料電池制御部２０にとって読取可能なプログラムが格納されている。この記憶部２４に格納されたプログラムに従った処理を燃料電池制御部２０が行う。
【００４６】
燃料電池制御部２０は例えばＣＰＵ、ＲＡＭ等を有するマイクロコンピュータである。燃料電池制御部２０は燃料電池型発電部７を制御することによって燃料電池型発電部７で発生する電力を制御し、燃料電池型発電部７の発電状況が燃料電池制御部２０にフィードバックされる。燃料電池制御部２０は、発電状況、残量信号、貯留量信号、湿度信号を電子機器制御部２９に転送する。
【００４７】
また、燃料電池制御部２０は、湿度センサ２８から入力された湿度信号に基づいてバルブ２〜４の開閉制御を行う。
【００４８】
キー入力部３１は、例えば種々のボタン、スイッチ等から構成されており、それらのボタンやスイッチの操作に応じた入力信号を電子機器制御部２９に出力する。
【００４９】
電子機器制御部２９は例えばＣＰＵ、ＲＡＭ、ＲＯＭ等を有するマイクロコンピュータである。電子機器制御部２９はキー入力部３１から入力された入力信号や、燃料電池制御部２０から入力した発電状況、残量信号、貯留量信号、湿度信号に基づいて所定の処理を行う。また、電子機器制御部２９が表示部３０に表示制御信号を出力することによって、表示制御信号に応じた表示が表示部３０で行われる。表示部３０としては、例えば液晶ディスプレイ、エレクトロルミネッセンスディスプレイ等を用いることができる。
【００５０】
次に、本実施形態の電子機器１の動作について説明する。図５は、本実施形態における燃料電池制御部２０による処理の流れを示したフローチャートである。この処理は、燃料電池制御部２０が記憶部２４に記憶されたプログラムに従って行うものである。
燃料電池制御部２０が燃料電池型発電部７を制御すると、燃料電池型発電部７が動作し、燃料と水が燃料電池型発電部７に送られる。燃料電池型発電部７では、燃料と水から発電が行われるとともに、気体状の水（水蒸気）が生成され、この水蒸気と窒素や酸素、二酸化炭素等を含む気体（排気）が排出される。生成された水蒸気は、気体として排出されたり、液体として生成水タンク９に貯留されたりする。
【００５１】
上述のように燃料電池型発電部７で発電が行われている時、あるいは発電が行われていない時でも、図５に示す処理が行われる。
【００５２】
本実施形態においては、図５に示すように、まず、燃料電池制御部２０は燃料電池型発電部７を駆動しているか否かをチェックし（ステップＳ１）、燃料電池型発電部７によって発電が行われている場合には（ステップＳ１：Ｙｅｓ）、燃料電池制御部２０の処理がステップＳ２に移行し、燃料電池型発電部７によって発電が行われていない場合には（ステップＳ１：Ｎｏ）、燃料電池制御部２０の処理がステップＳ８に移行する。
【００５３】
ステップＳ２において、ヒータ１６に電力が供給されているときには、燃料電池制御部２０が電力供給部２５をオフにしてヒータ１６の電力供給を停止する。ヒータ１６が発熱していないので、生成水タンク９内の水が蒸発器１１において自然蒸発し、自然蒸発した水が電子機器の外部に排出される。
【００５４】
続いて、燃料電池制御部２０は貯留量検出部２６による貯留量の検出値に基づいて生成水タンク９内の水が満杯であるか否かを判定し（ステップＳ３）、生成水タンク９内の水が満杯である場合には（ステップＳ３：Ｙｅｓ）、燃料電池制御部２０の処理がステップＳ６に移行し、生成水タンク９内の水が満杯でない場合には（ステップＳ３：Ｎｏ）、燃料電池制御部２０の処理がステップＳ４に移行する。なお、生成水タンク９内の水が満杯であるか否かの判定は、例えば貯留量検出部２６による貯留量の検出値を生成水タンク９の容量と比較することによって行われ、貯留量検出部２６による貯留量の検出値が生成水タンク９の容量以上である場合に、生成水タンク９内の水が満杯であると判定され、貯留量検出部２６による貯留量の検出値が生成水タンク９の容量未満である場合に、生成水タンク９内の水が満杯でないと判定される。
【００５５】
ステップＳ４において、燃料電池制御部２０は湿度センサ２８による湿度の検出値が所定の閾値Ｍｂを越えたか否かを判定し、湿度センサ２８による湿度の検出値が閾値Ｍｂを越えている場合には（ステップＳ４：Ｙｅｓ）、燃料電池制御部２０の処理がステップＳ５に移行し、湿度センサ２８による湿度の検出値が閾値Ｍｂ以下である場合には（ステップＳ４：Ｎｏ）、燃料電池制御部２０の処理がステップＳ７に移行する。
【００５６】
ステップＳ５において、燃料電池制御部２０は、第一バルブ２及び第三バルブ４を開弁するとともに第二バルブ３を閉弁する。そのため、燃料電池型発電部７で生成された水蒸気が回収部８によって液化されて生成水タンク９に貯留され、回収部８で液化された水以外の気体が回収部８からバルブ４を介して電子機器の外に排出される。ステップＳ５の後、燃料電池制御部２０の処理がステップＳ１に戻る。
【００５７】
ステップＳ７において、燃料電池制御部２０は、第一バルブ２及び第三バルブ４を閉弁するとともに、第二バルブ３を開弁する。そのため、燃料電池型発電部７で生成された水蒸気が気体の状態で電子機器の外に排出されるが、生成水タンク９には水が貯留されない。ステップＳ７の後、燃料電池制御部２０の処理がステップＳ１に戻る。
【００５８】
上記ステップＳ３において生成水タンク９内の水が満杯である場合には（ステップＳ３：Ｙｅｓ）、燃料電池制御部２０が満杯信号（生成水タンク９内の水が満杯であることを表す信号）を電子機器制御部２９に転送し（ステップＳ６）、電子機器制御部２９が表示部３０に表示制御信号を出力することで、水が満杯であることが表示部３０に表示される。そして、燃料電池制御部２０は上記ステップＳ７と同様な処理を行った後、燃料電池制御部２０の処理がステップＳ１に戻る。
【００５９】
一方、燃料電池型発電部７によって発電が行われていない場合には（ステップＳ１：Ｎｏ）、燃料電池制御部２０は貯留量検出部２６による貯留量の検出値に基づいて生成水タンク９内の水が空であるか否かを判定する（ステップＳ８）。その結果、生成水タンク９内の水が空である場合には（ステップＳ８：Ｙｅｓ）、燃料電池制御部２０の処理がステップＳ１２に移行し、生成水タンク９内の水が空でない場合には（ステップＳ８：Ｎｏ）、燃料電池制御部２０の処理がステップＳ９に移行する。
【００６０】
ステップＳ９において、燃料電池制御部２０は、電源切替制御部２２から入力される信号に基づき、直流変換部２３により電力供給されているか否かを判定する。その結果、直流変換部２３により電力供給されていない場合には（ステップＳ９：Ｎｏ）、燃料電池制御部２０の処理がステップＳ１２に移行し、直流変換部２３により電力供給されている場合には（ステップＳ９：Ｙｅｓ）、燃料電池制御部２０の処理がステップＳ１０に移行する。
【００６１】
ステップＳ１０において、燃料電池制御部２０は湿度センサ２８による湿度の検出値が所定の閾値Ｍｂを越えたか否かを判定する。その結果、湿度センサ２８による湿度の検出値が閾値Ｍｂを越えている場合には（ステップＳ１０：Ｙｅｓ）、燃料電池制御部２０の処理がステップＳ１２に移行し、湿度センサ２８による湿度の検出値が閾値Ｍｂ以下である場合には（ステップＳ１０：Ｎｏ）、燃料電池制御部２０の処理がステップＳ１１に移行する。
【００６２】
ステップＳ１１において、燃料電池制御部２０は、燃料電池制御部２０が電力供給部２５をオンにしてヒータ１６に電力を供給する。そのため、生成水タンク９内の水が蒸発器１１によって蒸散し、その気体状の水が外部に電子機器の外部に排出される。ステップＳ１１の後、燃料電池制御部２０の処理がステップＳ１に戻る。
【００６３】
ステップＳ１２において、ヒータ１６に電力が供給されているときには、燃料電池制御部２０が電力供給部２５をオフにしてヒータ１６の電力供給を停止する。そのため、生成水タンク９内の水が蒸発器１１において自然蒸発し、自然蒸発した水が電子機器の外部に排出される。ステップＳ１２の後、燃料電池制御部２０の処理がステップＳ１に戻る。
【００６４】
本実施形態によれば、発電中（ステップＳ１：Ｙｅｓ）、電子機器の周囲の湿度が高くて閾値Ｍｂを越える場合には（ステップＳ４：Ｙｅｓ）、燃料電池型発電部７で生成された水が生成水タンク９に貯留されるので、電子機器や電子機器の周囲の物が蒸発させた水の結露によって濡れないようにすることができる。一方、発電中において燃料電池型発電部７で生成された水蒸気が直接排出されるときは、電子機器の周囲の湿度が低くて閾値Ｍｂ以下であるので、電子機器や電子機器の周囲の物に結露しにくい。また、発電中において燃料電池型発電部７で生成された水蒸気が直接排出されるので、生成水タンク９に貯留される水が満杯になることがない。
【００６５】
また、発電中において、生成水タンク９内の水が満杯になった場合（ステップＳ３：Ｙｅｓ）、燃料電池型発電部７で生成された水蒸気が直接排出されるので、燃料電池型発電部７の発電を継続して行うようにすることができる。
【００６６】
また、生成水タンク９内の水が満杯になった場合に、表示部３０において満杯表示がされるので、ユーザはその表示を見て、電子機器を停止したり、直流変換部２３を通じて電力を供給したりすることによって、燃料電池型発電部７で生成された水の排出を抑えるように対処することができる。
【００６７】
また、発電が行われていないとき（ステップＳ１：Ｎｏ）に、直流変換部２３により電力供給され（ステップＳ９：Ｙｅｓ）、電子機器の周囲の湿度が高くて閾値Ｍｂを越える場合には（ステップＳ１０：Ｙｅｓ）、蒸発器１１が作動していないので、蒸発器１１で自然蒸発した水のみが排出されるので、電子機器から水が殆ど排出されない。そのため、電子機器や電子機器の周囲の物が結露しにくい。一方、発電が行われていないときにおいて、直流変換部２３により電力供給されて蒸発器１１が作動しているときには電子機器の周囲の湿度が低くて閾値Ｍｂ以下であるので、電子機器や電子機器の周囲の物に結露しにくい。また、生成水タンク９に貯留された水が蒸発器１１によって蒸発して排出されるので、ユーザが生成水タンク９内の水を廃棄する必要がない。また、湿度が低いときに蒸発器１１によって水が蒸発するので、水を早く蒸発させることができる。
【００６８】
また、直流変換部２３を通じて電力が供給されているときに、蒸発器１１が作動するので、二次電池２１の蓄電量の低下を抑えることができる。
【００６９】
なお、本発明の趣旨を逸脱しない範囲で種々の改良並びに設計の変更を行い、例えば、以下の（１）〜（１８）のように変形しても良い。なお、以下の（１）〜（１８）を選択的に組み合わせても良い。
【００７０】
（１）  湿度センサ２８による湿度の検出値に応じて燃料電池制御部２０がヒータ１６の供給電力量を変えて、蒸発器１１による蒸発速度を周囲の湿度に応じて変化させても良い。
【００７１】
（２）  貯留量検出部２６による貯留量の検出値が生成水タンク９の容量に近い場合（例えば、所定の閾値Ｖａ（但し、閾値Ｖａは生成水タンク９の容量未満）を越えた場合）、そうでない場合（貯留量検出部２６による貯留量の検出値が閾値Ｖａ以下である場合）におけるヒータ１６の供給電力よりも大きな電力を燃料電池制御部２０が電力供給部２５によりヒータ１６に供給することで、蒸発器１１による蒸発速度を高めても良い。
【００７２】
（３）  ヒータ１６の代わりにファン等によって強制対流をセラミック多孔質材１５に当てることによって蒸発を行っても良い。
【００７３】
（４）、蒸発器１１はセラミック多孔質材１５の代わりに蒸発皿を用いたものでも良い。この場合、繊維材料１４に吸収された水が蒸発皿に滴下し、その蒸発皿をヒータ１６で加熱したり、蒸発皿に強制対流を当てたりすることによって水が蒸発する。
【００７４】
（５）  管１３内の中に繊維材料１４の代わりに多孔質材が充填されているものであってもよい。
【００７５】
（６）  誘導部１０の代わりにポンプによって蒸発器１１に水を送るようにしても良い。
【００７６】
（７）  回収部８の途中段階での水をバルブを介して排出するようにして、そのバルブの開閉によって電子機器の外に排出される水蒸気の量を調節しても良い。
【００７７】
（８）  第二バルブ３を通じた排気経路を備えず、回収部８の冷却手段における排気中の水蒸気の冷却度合いを制御することによって、バルブ４から排出される気体中の水蒸気の含有量を調整しても良い。
【００７８】
（９）  バルブ２〜４が多段階的又は無段階的に開口量を調整することによって、電子機器の外に排出される水蒸気の量を調整しても良い。
【００７９】
（１０）  回収部８における冷却手段は水冷式であっても良いし、空冷式であっても良い。
（１１）  回収部８において、冷却手段の代わりに、例えば、シリカ等の吸湿材で水を吸着し、吸着した水をポンプなどによって吸引する構成を適用してもよい。
【００８０】
（１２）  燃料電池型発電部７から排出された水がバルブ２、バルブ３に加えて他の部分に送られるようにし、燃料電池型発電部７から排出された水の一部がバルブ２、バルブ３に送られるようにしても良い。
【００８１】
（１３）  電子機器に温度センサを設け、燃料電池制御部２０が温度に従ってバルブ２〜バルブ４を制御しても良い。
【００８２】
（１４）  閾値Ｍｂが変数であっても良い。例えば、ユーザが閾値Ｍｂを設定できるようにしても良いし、過去の湿度を蓄積していくことによって所定日数前までの湿度の平均値を閾値Ｍｂとしても良いし、季節や地域ごとに閾値Ｍｂを設定しても良い。
【００８３】
（１５）  貯留量検出部２６による貯留量の検出値が生成水タンク９の容量以上となった場合、燃料電池制御部２０が燃料電池型発電部７の発電を停止するようにしても良い。
【００８４】
（１６）  ユーザが生成水タンク９から水を抜けるようにしても良い。
【００８５】
（１７）  貯留量検出部２６による貯留量の検出値が生成水タンク９の容量以上となって且つ湿度センサ２８による湿度の検出値が所定の閾値Ｍｃを越えた場合、燃料電池制御部２０が電子機器制御部２９に指令を出し、その指令により電子機器制御部２９が『湿度が高いが生成水タンクが満杯であるために水蒸気を出している。』といった旨を表示部３０に表示させても良い。
【００８６】
（１８）  燃料電池型発電部７から排出された水蒸気のうち液体になって結露した水を生成水タンク９に送るようにしても良い。このようにすれば、バルブ３から液体状の水が排出されない。
【００８７】
〔第２の実施の形態〕
次に、本発明における電子機器１の第２の実施形態について説明する。図６は、本実施形態における燃料電池制御部２０による処理の流れを示したフローチャートである。第２実施形態の電子機器１の回路構成は、第１実施形態の電子機器１と同様に構成されている。但し、記憶部２４に記憶されているプログラムが第１実施形態と異なり、そのプログラムに従った燃料電池制御部２０の処理の流れも第１実施形態と異なる。以下、第２実施形態における燃料電池制御部２０の処理の流れについて説明する。
【００８８】
本実施形態においては、図６に示すように、まず、燃料電池制御部２０は燃料電池型発電部７を駆動しているか否かをチェックし（ステップＳＡ１）、燃料電池型発電部７によって発電が行われている場合には（ステップＳＡ１：Ｙｅｓ）、燃料電池制御部２０の処理がステップＳＡ２に移行し、燃料電池型発電部７によって発電が行われていない場合には（ステップＳＡ１：Ｎｏ）、燃料電池制御部２０の処理がステップＳＡ８に移行する。
【００８９】
ステップＳＡ２において、燃料電池制御部２０は貯留量検出部２６による貯留量の検出値に基づいて生成水タンク９内の水が満杯であるか否かを判定し、生成水タンク９内の水が満杯である場合には（ステップＳＡ２：Ｙｅｓ）、燃料電池制御部２０の処理がステップＳ７に移行し、生成水タンク９内の水が満杯でない場合には（ステップＳＡ２：Ｎｏ）、燃料電池制御部２０の処理がステップＳＡ３に移行する。
【００９０】
ステップＳＡ３において、燃料電池制御部２０が湿度センサ２８による湿度の検出値を所定の閾値Ｍａと比較し、続いて、ステップＳＡ４において、湿度センサ２８による湿度の検出値を所定の閾値Ｍｂ（但し、閾値Ｍａ＜閾値Ｍｂ）と比較する。なお、閾値Ｍｂが第１の閾値であり、閾値Ｍａが第２の閾値である。
【００９１】
ステップＳＡ３における比較の結果、湿度センサ２８による湿度の検出値が閾値Ｍａ以下である場合には（ステップＳＡ３：Ｙｅｓ）、燃料電池制御部２０は、第一バルブ２及び第三バルブ４を閉弁するとともに第二バルブ３を開弁し、更に電力供給部２５をオンにしてヒータ１６に電力を供給する（ステップＳＡ５）。そのため、燃料電池型発電部７で生成された水蒸気を含む排気が気体の状態で電子機器の外に排出されるとともに、生成水タンク９に貯留されている水が蒸発器１１によって蒸散し、その気体状の水（水蒸気）が外部に電子機器の外部に排出される。続いて、燃料電池制御部２０の処理がステップＳＡ１に戻る。
【００９２】
比較の結果、湿度センサ２８による湿度の検出値が閾値Ｍａを越え閾値Ｍｂ以下である場合には（ステップＳＡ３：Ｙｅｓ、ステップＳＡ４：Ｎｏ）、燃料電池制御部２０は、第一バルブ２及び第三バルブ４を閉弁するとともに第二バルブ３を開弁する。（ステップＳＡ７）。更に、燃料電池制御部２０は、ヒータ１６に電力が供給されているときには、燃料電池制御部２０が電力供給部２５をオフにしてヒータ１６の電力供給を停止する（ステップＳＡ７）。そのため、燃料電池型発電部７で生成された水蒸気を含む排気が気体の状態で電子機器の外に排出されるとともに、生成水タンク９内の水が蒸発器１１において自然蒸発し、自然蒸発した水が電子機器の外部に排出される。続いて、燃料電池制御部２０の処理がステップＳＡ１に戻る。
【００９３】
比較の結果、湿度センサ２８による湿度の検出値が閾値Ｍｂを越えている場合には（ステップＳＡ３：Ｎｏ、ステップＳＡ４：ＹＥＳ）、燃料電池制御部２０は、第一バルブ２及び第三バルブ４を閉弁するとともに第二バルブ３を開弁し、更に電力供給部２５をオフにしてヒータ１６の電力供給を停止する（ステップＳＡ７）。そのため、燃料電池型発電部７で生成された水が気体の状態で電子機器の外に排出されず、生成水タンク９内の水が蒸発器１１において自然蒸発し、自然蒸発した水が電子機器の外部に排出される。続いて、燃料電池制御部２０の処理がステップＳＡ１に戻る。
【００９４】
一方、燃料電池型発電部７によって発電が行われていない場合には（ステップＳＡ１：Ｎｏ）、燃料電池制御部２０は貯留量検出部２６による貯留量の検出値に基づいて生成水タンク９内の水が空であるか否かを判定する（ステップＳＡ８）。その結果、生成水タンク９内の水が空である場合には（ステップＳＡ８：Ｙｅｓ）、燃料電池制御部２０の処理がステップＳＡ１４に移行し、生成水タンク９内の水が空でない場合には（ステップＳＡ８：Ｎｏ）、燃料電池制御部２０の処理がステップＳＡ９に移行する。
【００９５】
ステップＳＡ９において、燃料電池制御部２０は湿度センサ２８による湿度の検出値が所定の閾値Ｍｂを越えたか否かを判定する。その結果、湿度センサ２８による湿度の検出値が閾値Ｍｂを越えている場合には（ステップＳＡ９：Ｙｅｓ）、燃料電池制御部２０の処理がステップＳＡ１４に移行し、湿度センサ２８による湿度の検出値が閾値Ｍｂ以下である場合には（ステップＳＡ９：Ｎｏ）、燃料電池制御部２０の処理がステップＳＡ１０に移行する。
【００９６】
ステップＳＡ１０において、燃料電池制御部２０は、電源切替制御部２２から入力される信号に基づき、直流変換部２３により電力供給されているか否かを判定する。その結果、直流変換部２３により電力供給されていない場合には（ステップＳＡ１０：Ｎｏ）、燃料電池制御部２０の処理がステップＳＡ１１に移行し、直流変換部２３により電力供給されている場合には（ステップＳＡ１０：Ｙｅｓ）、燃料電池制御部２０の処理がステップＳＡ１２に移行する。
【００９７】
ステップＳＡ１１において、燃料電池制御部２０は、電源切替制御部２２から入力される信号に基づき、二次電池２１の蓄電量が所定の閾値を越えているか否かを判定する。その結果、二次電池２１の蓄電量が所定の閾値を越えて十分である場合には（ステップＳＡ１１：Ｙｅｓ）、燃料電池制御部２０の処理がステップＳＡ１３に移行し、二次電池２１の蓄電量が所定の閾値以下であって十分でない場合には（ステップＳＡ１１：Ｎｏ）、燃料電池制御部２０の処理がステップＳＡ１４に移行する。
【００９８】
ステップＳＡ１２において、燃料電池制御部２０が電力供給部２５をオンにしてヒータ１６に電力を供給する。そのため、生成水タンク９内の水が蒸発器１１によって蒸散し、その気体状の水が外部に電子機器の外部に排出される。ステップＳＡ１２の後、燃料電池制御部２０の処理がステップＳＡ１に戻る。
【００９９】
ステップＳＡ１３において、燃料電池制御部２０が電力供給部２５をオンにしてヒータ１６に電力を供給する。但し、ステップＳＡ１３においてヒータ１６に供給する電力をステップＳＡ１２においてヒータ１６に供給する電力よりも低くする。そのため、生成水タンク９内の水の蒸散量がステップＳＡ１２の場合よりも少なくなり、その気体状の水が外部に電子機器の外部に排出される。ステップＳＡ１３の後、燃料電池制御部２０の処理がステップＳＡ１に戻る。
【０１００】
ステップＳＡ１４において、ヒータ１６に電力が供給されているときには、燃料電池制御部２０が電力供給部２５をオフにしてヒータ１６の電力供給を停止する。そのため、生成水タンク９内の水が蒸発器１１において自然蒸発し、自然蒸発した水が電子機器の外部に排出される。ステップＳＡ１４の後、燃料電池制御部２０の処理がステップＳＡ１に戻る。
【０１０１】
本実施形態によれば、発電中において（ステップＳＡ１：Ｙｅｓ）、周囲の湿度が低くて閾値Ｍａ以下である場合には、生成水タンク９内の水が蒸発器１１によって蒸発されるので、発電中でも生成水タンク９内の水を早く減らすことができる。
【０１０２】
また、発電が行われていないとき（ステップＳＡ１：Ｎｏ）、周囲の湿度が低くて閾値Ｍｂ以下である場合には、生成水タンク９内の水が蒸発器１１によって蒸発されるので、生成水タンク９内の水を早く減らすことができる。この場合、直流変換部２３を通じて電力が供給されている時は（ステップＳＡ１０：Ｙｅｓ）、蒸発器１１のヒータ１６に供給する電力を大きくし、直流変換部２３を通じて電力が供給されていない時は（ステップＳＡ１０：Ｎｏ）、蒸発器１１のヒータ１６に供給する電力を小さくするため、二次電池２１の蓄電量の消耗を抑えることができる。
【０１０３】
〔第３の実施の形態〕
次に、本発明における電子機器１の第３の実施形態について説明する。図７は、本実施形態における燃料電池制御部２０による処理の流れを示したフローチャートである。第３実施形態の電子機器１の回路構成は、第１実施形態の電子機器１と同様に構成されている。但し、記憶部２４に記憶されているプログラムが第１実施形態と異なり、そのプログラムに従った燃料電池制御部２０の処理の流れも第１実施形態と異なる。以下、第３実施形態における燃料電池制御部２０の処理の流れについて説明する。
【０１０４】
本実施形態においては、図７に示すように、まず、燃料電池制御部２０は燃料電池型発電部７を駆動しているか否かをチェックし（ステップＳＢ１）、燃料電池型発電部７によって発電が行われている場合には（ステップＳＢ１：Ｙｅｓ）、燃料電池制御部２０の処理がステップＳＢ２に移行し、燃料電池型発電部７によって発電が行われていない場合には（ステップＳＢ１：Ｎｏ）、燃料電池制御部２０の処理がステップＳＢ７に移行する。
【０１０５】
ステップＳＢ２において、燃料電池制御部２０は貯留量検出部２６による貯留量の検出値に基づいて生成水タンク９内の水が満杯であるか否かを判定し、生成水タンク９内の水が満杯である場合には（ステップＳＢ２：Ｙｅｓ）、燃料電池制御部２０の処理がステップＳＢ５に移行し、生成水タンク９内の水が満杯でない場合には（ステップＳＢ２：Ｎｏ）、燃料電池制御部２０の処理がステップＳＢ３に移行する。
【０１０６】
ステップＳＢ３において、燃料電池制御部２０は湿度センサ２８による湿度の検出値が所定の閾値Ｍｂを越えたか否かを判定し、湿度センサ２８による湿度の検出値が閾値Ｍｂを越えている場合には（ステップＳＢ３：Ｙｅｓ）、燃料電池制御部２０の処理がステップＳＢ４に移行し、湿度センサ２８による湿度の検出値が閾値Ｍｂ以下である場合には（ステップＳＢ３：Ｎｏ）、燃料電池制御部２０の処理がステップＳＢ６に移行する。
【０１０７】
ステップＳＢ４において、燃料電池制御部２０は、第一バルブ２及び第三バルブ４を開弁するとともに第二バルブ３を閉弁する。そのため、燃料電池型発電部７で生成された水が回収部８によって液化されて生成水タンク９に貯留され、回収部８で液化された水以外の気体が回収部８からバルブ４を介して電子機器の外に排出される。ステップＳＢ４の後、燃料電池制御部２０の処理がステップＳＢ１に戻る。
【０１０８】
ステップＳＢ６において、燃料電池制御部２０が、第一バルブ２及び第三バルブ４を閉弁するとともに、第二バルブ３を開弁する。そのため、燃料電池型発電部７で生成された水が気体の状態で電子機器の外に排出されるが、生成水タンク９には水が貯留されない。ステップＳＢ６の後、燃料電池制御部２０の処理がステップＳＢ１に戻る。
【０１０９】
上記ステップＳＢ２において生成水タンク９内の水が満杯である場合には（ステップＳＢ２：Ｙｅｓ）、燃料電池制御部２０が満杯信号（生成水タンク９内の水が満杯であることを表す信号）を電子機器制御部２９に転送し（ステップＳＢ５）、電子機器制御部２９が表示部３０に表示制御信号を出力することで、水が満杯であることが表示部３０に表示される。そして、燃料電池制御部２０は上記ステップＳＢ６と同様な処理を行った後、燃料電池制御部２０の処理がステップＳＢ１に戻る。
【０１１０】
一方、燃料電池型発電部７によって発電が行われていない場合には（ステップＳＢ１：Ｎｏ）、燃料電池制御部２０が第一バルブ２、第二バルブ３及び第三バルブ４を閉弁する（ステップＳＢ７）。そのため、電子機器の外部の空気が第一バルブ２、第二バルブ３及び第三バルブ４を通じて電子機器内に入り込まない。
【０１１１】
なお、本実施形態では燃料電池制御部２０によってヒータ１６のオン・オフが行われないので、誘導部１０、蒸発器１１及び電力供給部２５を電子機器に設けなくても良い。この場合、生成水タンク９の孔１２を閉塞した状態にするか、孔１２を生成水タンク９に形成しない。その上、ユーザが生成水タンク９内の水を捨てられるようにしても良いし、生成水タンク９に吸湿材を充填して生成水タンク９と回収部８を一体にしても良い。また、蒸発器１１を電子機器に設けていない場合、蒸発器のヒータに供給する電力を使用せずに済む。
【０１１２】
本実施形態によれば、発電が行われていないとき（ステップＳＢ：Ｎｏ）、バルブ２〜４が閉弁されるので、水蒸気が電子機器から殆ど排出されない。
また、周囲の湿度が高くて閾値Ｍｂを越える場合には、燃料電池型発電部７で生成された水が直接排出されるので、生成水タンク９内が満杯になって水を捨てる頻度が少なくなる。
【０１１３】
〔第４の実施の形態〕
次に、本発明における電子機器１の第４の実施形態について説明する。図８は、本実施形態における燃料電池制御部２０による処理の流れを示したフローチャートである。第４実施形態の電子機器１の回路構成は、第１実施形態の電子機器１と同様に構成されている。但し、記憶部２４に記憶されているプログラムが第１実施形態と異なり、そのプログラムに従った燃料電池制御部２０の処理の流れも第１実施形態と異なる。以下、第４実施形態における燃料電池制御部２０の処理の流れについて説明する。
【０１１４】
本実施形態においては、図８に示すように、まず、燃料電池制御部２０は燃料電池型発電部７を駆動しているか否かをチェックし（ステップＳＣ１）、燃料電池型発電部７によって発電が行われている場合には（ステップＳＣ１：Ｙｅｓ）、燃料電池制御部２０の処理がステップＳＣ２に移行し、燃料電池型発電部７によって発電が行われていない場合には（ステップＳＣ１：Ｎｏ）、燃料電池制御部２０の処理がステップＳＣ８に移行する。
【０１１５】
ステップＳＣ２において、ヒータ１６に電力が供給されているときには、燃料電池制御部２０が電力供給部２５をオフにしてヒータ１６の電力供給を停止する。そのため、生成水タンク９内の水が蒸発器１１において自然蒸発し、自然蒸発した水が電子機器の外部に排出される。続いて、燃料電池制御部２０は貯留量検出部２６による貯留量の検出値に基づいて生成水タンク９内の水が満杯であるか否かを判定し（ステップＳＣ３）、生成水タンク９内の水が満杯である場合には（ステップＳＣ３：Ｙｅｓ）、燃料電池制御部２０の処理がステップＳＣ７に移行し、生成水タンク９内の水が満杯でない場合には（ステップＳＣ３：Ｎｏ）、燃料電池制御部２０の処理がステップＳＣ４に移行する。
【０１１６】
ステップＳＣ４において、燃料電池制御部２０は、電子機器１の使用状態として、キー入力部３１が最後に操作されてから所定時間経過したか否かを判定し、キー入力部３１が最後に操作されてから所定時間経過した場合には（ステップＳＣ４：Ｙｅｓ）、燃料電池制御部２０の処理がステップＳＣ５に移行し、キー入力部３１が最後に操作されてから所定時間経過していない場合には（ステップＳＣ４：Ｎｏ）、燃料電池制御部２０の処理がステップＳＣ６に移行する。なお、キー入力部３１の入力信号が電子機器制御部２９を介して燃料電池制御部２０に出力されるので、燃料電池制御部２０は電子機器制御部２９から入力信号が入力される毎にその入力時刻からの経過時間をカウントアップし、これにより燃料電池制御部２０が、キー入力部３１が最後に操作されてから所定時間経過したか否かを判定する。
【０１１７】
ステップＳＣ５において、燃料電池制御部２０は湿度センサ２８による湿度の検出値が所定の閾値Ｍｂを越えたか否かを判定し、湿度センサ２８による湿度の検出値が閾値Ｍｂを越えている場合には（ステップＳＣ５：Ｙｅｓ）、燃料電池制御部２０の処理がステップＳＣ６に移行し、湿度センサ２８による湿度の検出値が閾値Ｍｂ以下である場合には（ステップＳＣ５：Ｎｏ）、燃料電池制御部２０の処理がステップＳＣ７に移行する。
【０１１８】
ステップＳＣ６において、燃料電池制御部２０が第一バルブ２及び第三バルブ４を開弁するとともに第二バルブ３を閉弁する。そのため、燃料電池型発電部７で生成された水が回収部８によって液化されて生成水タンク９に貯留され、回収部８で液化された水以外の気体が回収部８からバルブ４を介して電子機器の外に排出される。ステップＳＣ６の後、燃料電池制御部２０の処理がステップＳＣ１に戻る。
【０１１９】
ステップＳＣ７において、燃料電池制御部２０が第一バルブ２及び第三バルブ４を閉弁するとともに第二バルブ３を開弁する。そのため、燃料電池型発電部７で生成された水が気体の状態で電子機器の外に排出されるが、生成水タンク９には水が貯留されない。ステップＳＣ７の後、燃料電池制御部２０の処理がステップＳＣ１に戻る。
【０１２０】
一方、燃料電池型発電部７によって発電が行われていない場合には（ステップＳＣ１：Ｎｏ）、燃料電池制御部２０は貯留量検出部２６による貯留量の検出値に基づいて生成水タンク９内の水が空であるか否かを判定する（ステップＳＣ８）。その結果、生成水タンク９内の水が空である場合には（ステップＳＣ８：Ｙｅｓ）、燃料電池制御部２０の処理がステップＳＣ１２に移行し、生成水タンク９内の水が空でない場合には（ステップＳＣ８：Ｎｏ）、燃料電池制御部２０の処理がステップＳＣ９に移行する。
【０１２１】
ステップＳＣ９において、燃料電池制御部２０はキー入力部３１が最後に操作されてから所定時間経過したか否かを判定し、キー入力部３１が最後に操作されてから所定時間経過した場合には（ステップＳＣ９：Ｙｅｓ）、燃料電池制御部２０の処理がステップＳＣ１０に移行し、キー入力部３１が最後に操作されてから所定時間経過していない場合には（ステップＳＣ９：Ｎｏ）、燃料電池制御部２０の処理がステップＳＣ１２に移行する。
【０１２２】
ステップＳＣ１０において、燃料電池制御部２０は、電源切替制御部２２から入力される信号に基づき、直流変換部２３により電力供給されているか否かを判定する。その結果、直流変換部２３により電力供給されていない場合には（ステップＳＣ１０：Ｎｏ）、燃料電池制御部２０の処理がステップＳＣ１２に移行し、直流変換部２３により電力供給されている場合には（ステップＳＣ１０：Ｙｅｓ）、燃料電池制御部２０の処理がステップＳＣ１１に移行する。
【０１２３】
ステップＳＣ１１において、燃料電池制御部２０は湿度センサ２８による湿度の検出値が所定の閾値Ｍｂを越えたか否かを判定する。その結果、湿度センサ２８による湿度の検出値が閾値Ｍｂを越えている場合には（ステップＳＣ１１：Ｙｅｓ）、燃料電池制御部２０の処理がステップＳＣ１２に移行し、湿度センサ２８による湿度の検出値が閾値Ｍｂ以下である場合には（ステップＳＣ１１：Ｎｏ）、燃料電池制御部２０の処理がステップＳＣ１３に移行する。
【０１２４】
ステップＳＣ１２において、ヒータ１６に電力が供給されているときには、燃料電池制御部２０が電力供給部２５をオフにしてヒータ１６の電力供給を停止する。そのため、生成水タンク９内の水が蒸発器１１において自然蒸発し、自然蒸発した水が電子機器の外部に排出される。ステップＳＣ１２の後、燃料電池制御部２０の処理がステップＳＣ１に戻る。
【０１２５】
ステップＳＣ１３において、燃料電池制御部２０は、燃料電池制御部２０が電力供給部２５をオンにしてヒータ１６に電力を供給する。そのため、生成水タンク９内の水が蒸発器１１によって蒸散し、その気体状の水が外部に電子機器の外部に排出される。ステップＳＣ１３の後、燃料電池制御部２０の処理がステップＳＣ１に戻る。
【０１２６】
なお、本実施形態では、キー入力部３１が最後に操作されてからの経過時間によって電子機器の使用・不使用が燃料電池制御部２０で認識されたが、他の手段によって電子機器の使用・不使用を燃料電池制御部２０が認識するようにしても良い。例えば、表示部３０の表示内容が変化している場合には、燃料電池制御部２０がユーザによって電子機器が使用されていると認識し、表示部３０の表示内容が変化していない場合には、燃料電池制御部２０がユーザによって電子機器が使用されていないと認識しても良い。また、電子機器にマイクを設け、マイクに音声入力が行われている場合には、燃料電池制御部２０がユーザによって電子機器が使用されていると認識し、マイクに音声入力が行われていない場合には、燃料電池制御部２０がユーザによって電子機器が使用されていないと認識しても良い。
【０１２７】
本実施形態によれば、発電中にユーザがキー入力部３１を操作しているときには（ステップＳＣ４：Ｎｏ）、燃料電池型発電部７で生成された水が生成水タンク９内に貯留されるので、ユーザに湿気を感じさせないようにすることができる。発電が行われていないときについても、ユーザがキー入力部３１を操作しているときには（ステップＳＣ９：Ｎｏ）、蒸発器１１が作動していないので、ユーザに湿気を感じさせないようにすることができる。
【０１２８】
〔第５の実施の形態〕
次に、本発明における電子機器１の第５の実施形態について説明する。図９は、本発明における電子機器１の回路構成の第５の実施形態を示すブロック図である。図９に示すように、第５実施形態の電子機器１は、第１実施形態の電子機器の構成要素に加え、距離センサ４１を備える。距離センサ４１は、電子機器１の使用状態として、水の排出口からその排出口の前に配置された障害物（例えば排出口の近くにある本や電気スタンド、他の電子機器等）までの距離を検出し、その検出距離を表した信号を燃料電池制御部２０に出力するものである。図１０を用いて距離センサ４１について具体的に説明する。
【０１２９】
図１０は、電子機器１の第５の実施形態における側面図である。図１０に示すように、電子機器の側面３４には排出口３５が形成され、第二バルブ３を通じた排気と、第三バルブ４を通じた排気と、蒸発器１１を通じた排気とがこの排出口３５により行われる。この排出口３５の周囲には距離センサ４１の超音波送信部４２と超音波受信部４３が設けられている。超音波送信部４２は超音波を側面３４に対して垂直な方向に放出するものであり、超音波受信部４３は超音波を受けるものである。超音波送信部４２によって超音波が放出されると、排出口３５の前に配置された障害物によって超音波が反射し、その反射した超音波が超音波受信部４３によって受けられる。距離センサ４１は距離測定回路を更に有する。この距離測定回路は超音波送信部４２によって超音波が放出されてから超音波受信部４３によって超音波が受けられるまでの時間を測定し、その時間に基づき排出口３５から障害物までの距離を算出し、その距離を表した信号を燃料電池制御部２０に出力する回路である。なお、湿度センサ２８はこの側面３４に設けられている。
【０１３０】
また、記憶部２４に記憶されているプログラムが第１実施形態と異なり、そのプログラムに従った燃料電池制御部２０の処理の流れも第１実施形態と異なる。以下、第５実施形態における燃料電池制御部２０の処理の流れについて説明する。
【０１３１】
図１１は、本実施形態における燃料電池制御部２０による処理の流れを示したフローチャートである。本実施形態においては、図１１に示すように、まず、燃料電池制御部２０は燃料電池型発電部７を駆動しているか否かをチェックし（ステップＳＤ１）、燃料電池型発電部７によって発電が行われている場合には（ステップＳＤ１：Ｙｅｓ）、燃料電池制御部２０の処理がステップＳＤ２に移行し、燃料電池型発電部７によって発電が行われていない場合には（ステップＳＤ１：Ｎｏ）、燃料電池制御部２０の処理がステップＳＤ９に移行する。
【０１３２】
ステップＳＤ２において、ヒータ１６に電力が供給されているときには、燃料電池制御部２０が電力供給部２５をオフにしてヒータ１６の電力供給を停止する。そのため、生成水タンク９内の水が蒸発器１１において自然蒸発し、自然蒸発した水が電子機器の外部に排出される。続いて、燃料電池制御部２０は貯留量検出部２６による貯留量の検出値に基づいて生成水タンク９内の水が満杯であるか否かを判定し（ステップＳＤ３）、生成水タンク９内の水が満杯である場合には（ステップＳＤ３：Ｙｅｓ）、燃料電池制御部２０の処理がステップＳＤ７に移行し、生成水タンク９内の水が満杯でない場合には（ステップＳＤ３：Ｎｏ）、燃料電池制御部２０の処理がステップＳＤ４に移行する。
【０１３３】
ステップＳＤ４において、燃料電池制御部２０は距離センサ４１によって検出された距離が所定の距離以上であるか否かを判定し、距離センサ４１によって検出された距離が所定の距離以上である場合には（ステップＳＤ４：Ｙｅｓ）、燃料電池制御部２０の処理がステップＳＤ５に移行し、距離センサ４１によって検出された距離が所定の距離未満である場合には（ステップＳＤ４：Ｎｏ）、燃料電池制御部２０の処理がステップＳＤ８に移行する。
【０１３４】
ステップＳＤ５において、燃料電池制御部２０は湿度センサ２８による湿度の検出値が所定の閾値Ｍｂを越えたか否かを判定し、湿度センサ２８による湿度の検出値が閾値Ｍｂを越えている場合には（ステップＳＤ５：Ｙｅｓ）、燃料電池制御部２０の処理がステップＳＤ６に移行し、湿度センサ２８による湿度の検出値が閾値Ｍｂ以下である場合には（ステップＳＤ５：Ｎｏ）、燃料電池制御部２０の処理がステップＳＤ７に移行する。
【０１３５】
ステップＳＤ８において、燃料電池制御部２０が近接信号（障害物が排出口３５の近くにあることを表す信号）を電子機器制御部２９に転送し、電子機器制御部２９が表示部３０に表示制御信号を出力することで、障害物が排出口３５の近くにあることが表示部３０に表示される。その後、燃料電池制御部２０の処理がステップＳＤ６に移行する。
【０１３６】
ステップＳＤ６において、燃料電池制御部２０が第一バルブ２及び第三バルブ４を開弁するとともに第二バルブ３を閉弁する。そのため、燃料電池型発電部７で生成された水が回収部８によって液化されて生成水タンク９に貯留され、回収部８で液化された水以外の気体が回収部８からバルブ４を介して電子機器の外に排出される。ステップＳＤ６の後、燃料電池制御部２０の処理がステップＳＤ１に戻る。
【０１３７】
ステップＳＤ７において、燃料電池制御部２０が第一バルブ２及び第三バルブ４を閉弁するとともに第二バルブ３を開弁する。そのため、燃料電池型発電部７で生成された水が気体の状態で電子機器の外に排出されるが、生成水タンク９には水が貯留されない。ステップＳＤ７の後、燃料電池制御部２０の処理がステップＳＤ１に戻る。
【０１３８】
一方、燃料電池型発電部７によって発電が行われていない場合には（ステップＳＤ１：Ｎｏ）、燃料電池制御部２０は貯留量検出部２６による貯留量の検出値に基づいて生成水タンク９内の水が空であるか否かを判定する（ステップＳＤ９）。その結果、生成水タンク９内の水が空である場合には（ステップＳＤ９：Ｙｅｓ）、燃料電池制御部２０の処理がステップＳＤ１４に移行し、生成水タンク９内の水が空でない場合には（ステップＳＤ９：Ｎｏ）、燃料電池制御部２０の処理がステップＳＤ１０に移行する。
【０１３９】
ステップＳＤ１０において、燃料電池制御部２０は距離センサ４１によって検出された距離が所定の距離以上であるか否かを判定し、距離センサ４１によって検出された距離が所定の距離以上である場合には（ステップＳＤ１０：Ｙｅｓ）、燃料電池制御部２０の処理がステップＳＤ１１に移行し、距離センサ４１によって検出された距離が所定の距離未満である場合には（ステップＳＤ１０：Ｎｏ）、燃料電池制御部２０の処理がステップＳＤ１５に移行する。
【０１４０】
ステップＳＤ１５において、燃料電池制御部２０が近接信号（障害物が排出口３５の近くにあることを表す信号）を電子機器制御部２９に転送し、電子機器制御部２９が表示部３０に表示制御信号を出力することで、障害物が排出口３５の近くにあることが表示部３０に表示される。その後、燃料電池制御部２０の処理がステップＳＤ１４に移行する。
【０１４１】
ステップＳＤ１１において、燃料電池制御部２０は、電源切替制御部２２から入力される信号に基づき、直流変換部２３により電力供給されているか否かを判定する。その結果、直流変換部２３により電力供給されていない場合には（ステップＳＤ１１：Ｎｏ）、燃料電池制御部２０の処理がステップＳＤ１４に移行し、直流変換部２３により電力供給されている場合には（ステップＳＤ１１：Ｙｅｓ）、燃料電池制御部２０の処理がステップＳＤ１２に移行する。
【０１４２】
ステップＳＤ１２において、燃料電池制御部２０は湿度センサ２８による湿度の検出値が所定の閾値Ｍｂを越えたか否かを判定する。その結果、湿度センサ２８による湿度の検出値が閾値Ｍｂを越えている場合には（ステップＳＤ１２：Ｙｅｓ）、燃料電池制御部２０の処理がステップＳＤ１４に移行し、湿度センサ２８による湿度の検出値が閾値Ｍｂ以下である場合には（ステップＳＤ１２：Ｎｏ）、燃料電池制御部２０の処理がステップＳＤ１３に移行する。
【０１４３】
ステップＳＤ１４において、ヒータ１６に電力が供給されているときには、燃料電池制御部２０が電力供給部２５をオフにしてヒータ１６の電力供給を停止する。そのため、生成水タンク９内の水が蒸発器１１において自然蒸発し、自然蒸発した水が電子機器の外部に排出される。ステップＳＤ１４の後、燃料電池制御部２０の処理がステップＳＤ１に戻る。
【０１４４】
ステップＳＤ１３において、燃料電池制御部２０は、燃料電池制御部２０が電力供給部２５をオンにしてヒータ１６に電力を供給する。そのため、生成水タンク９内の水が蒸発器１１によって蒸散し、その気体状の水が電子機器の外部に排出される。ステップＳＤ１３の後、燃料電池制御部２０の処理がステップＳＤ１に戻る。
【０１４５】
本実施形態によれば、排出口３５の前に本や書類、電気スタンド、人体等の障害物があり、その障害物までの距離が近いと、発電中においては燃料電池型発電部７で生成された水が直接排出されず、発電が行われていないときには生成水タンク９内の水が蒸発器１１によって蒸発されない。そのため、排出口３５の近くにこのような障害物が配置されても、その障害物が濡れないようにすることができる。具体的には、電子機器を書類の傍に置いた場合、電子機器を鞄やポケットに入れた場合、電子機器を首からぶら下げて排出口３５が体で塞がれている場合、電子機器を手に持って排出口３５を手で塞いだ場合等において、排出口３５からの水蒸気の排出を抑えることができる。
【０１４６】
また、排出口３５の前に障害物が配置された場合、障害物が近接した旨が表示部３０で表示されるので、ユーザはその表示内容を見て電子機器の位置を変えたり、その障害物を移動させたりすることができる。
【０１４７】
なお、本実施形態では、距離センサ４１が超音波式のセンサであったが、光学的に距離を検出するセンサであっても良い。この場合、距離センサ４１が光学的センサである場合、超音波送信部４２の代わりに投光素子となり、超音波受信部４３の代わりに受光素子となる。
【０１４８】
〔第６の実施の形態〕
次に、本発明における電子機器１の第６の実施形態について説明する。図１２は、本発明における電子機器１の回路構成の第６の実施形態を示すブロック図である。図１２に示すように、第６実施形態の電子機器１は、第１実施形態の電子機器１の構成要素に加え、容量変化式のタッチセンサ５１を備える。タッチセンサ５１は、電子機器１の使用状態として、このタッチセンサ５１に物（人体）が接触した場合にそのことを検出し、検出信号を燃料電池制御部２０に出力する接触検出部である。更に、このタッチセンサ５１について具体的に説明する。図１３は、電子機器１の第６の実施形態における外観の一例を示す斜視図である。なお、図１３においては、本実施形態が好適に適用される電子機器の例として、デジタルカメラを示す。
【０１４９】
図１３に示すように、電子機器の筐体にはグリップ部３６が設けられており、そのグリップ部３６の表面にタッチセンサ５１が設けられている。そのため、ユーザがグリップ部３６を握ると、ユーザの手がタッチセンサ５１に接するのでタッチセンサ５１から燃料電池制御部２０へ検出信号が出力される。
【０１５０】
次に、本実施形態における燃料電池制御部２０による処理の流れについて説明する。図１４は、本実施形態における燃料電池制御部２０による処理の流れを示したフローチャートである。
【０１５１】
本実施形態においては、図１４に示すように、まず、燃料電池制御部２０は燃料電池型発電部７を駆動しているか否かをチェックし（ステップＳＥ１）、燃料電池型発電部７によって発電が行われている場合には（ステップＳＥ１：Ｙｅｓ）、燃料電池制御部２０の処理がステップＳＥ２に移行し、燃料電池型発電部７によって発電が行われていない場合には（ステップＳＥ１：Ｎｏ）、燃料電池制御部２０の処理がステップＳＥ８に移行する。
【０１５２】
ステップＳＥ２において、燃料電池制御部２０は貯留量検出部２６による貯留量の検出値に基づいて生成水タンク９内の水が満杯であるか否かを判定し、生成水タンク９内の水が満杯である場合には（ステップＳＥ２：Ｙｅｓ）、燃料電池制御部２０の処理がステップＳＥ６に移行し、生成水タンク９内の水が満杯でない場合には（ステップＳＥ２：Ｎｏ）、燃料電池制御部２０の処理がステップＳＥ３に移行する。
【０１５３】
ステップＳＥ３において、燃料電池制御部２０は湿度センサ２８による湿度の検出値が所定の閾値Ｍｂを越えたか否かを判定し、湿度センサ２８による湿度の検出値が閾値Ｍｂを越えている場合には（ステップＳＥ３：Ｙｅｓ）、燃料電池制御部２０の処理がステップＳＥ５に移行し、湿度センサ２８による湿度の検出値が閾値Ｍｂ以下である場合には（ステップＳＥ３：Ｎｏ）、燃料電池制御部２０の処理がステップＳＥ４に移行する。
【０１５４】
ステップＳＥ４において、燃料電池制御部２０はタッチセンサ５１から検出信号が入力されているか否かを判定し、タッチセンサ５１から検出信号が入力されている場合には（ステップＳＥ４：Ｙｅｓ）、燃料電池制御部２０の処理がステップＳＥ５に移行し、タッチセンサ５１から検出信号が入力されていない場合には（ステップＳＥ４：Ｎｏ）、燃料電池制御部２０の処理がステップＳＥ７に移行する。
【０１５５】
ステップＳＥ５において、燃料電池制御部２０は、第一バルブ２及び第三バルブ４を開弁するとともに第二バルブ３を閉弁する。そのため、燃料電池型発電部７で生成された水が回収部８によって液化されて生成水タンク９に貯留され、回収部８で液化された水以外の気体が回収部８からバルブ４を介して電子機器の外に排出される。ステップＳＥ５の後、燃料電池制御部２０の処理がステップＳＥ１に戻る。
【０１５６】
ステップＳＥ７において、燃料電池制御部２０が、第一バルブ２及び第三バルブ４を閉弁するとともに、第二バルブ３を開弁する。そのため、燃料電池型発電部７で生成された水が気体の状態で電子機器の外に排出されるが、生成水タンク９には水が貯留されない。ステップＳＥ７の後、燃料電池制御部２０の処理がステップＳＥ１に戻る。
【０１５７】
上記ステップＳＥ２において生成水タンク９内の水が満杯である場合には（ステップＳＥ２：Ｙｅｓ）、燃料電池制御部２０が満杯信号（生成水タンク９内の水が満杯であることを表す信号）を電子機器制御部２９に転送し（ステップＳＥ６）、電子機器制御部２９が表示部３０に表示制御信号を出力することで、水が満杯であることが表示部３０に表示される。そして、燃料電池制御部２０は上記ステップＳＥ７と同様な処理を行った後、燃料電池制御部２０の処理がステップＳＥ１に戻る。
【０１５８】
一方、燃料電池型発電部７によって発電が行われていない場合には（ステップＳＥ１：Ｎｏ）、燃料電池制御部２０が第一バルブ２、第二バルブ３及び第三バルブ４を閉弁する（ステップＳＥ８）。そのため、電子機器の外部の空気が第一バルブ２、第二バルブ３及び第三バルブ４を通じて電子機器内に入り込まない。
【０１５９】
なお、燃料電池型発電部７によって発電が行われていない場合において（ステップＳＥ１：Ｎｏ）、タッチセンサ５１から検出信号が入力されているときには、燃料電池制御部２０が電力供給部２５をオフにしてヒータ１６の電力供給を停止し、タッチセンサ５１から検出信号が入力されていないときには、燃料電池制御部２０が電力供給部２５をオンにしてヒータ１６に電力を供給するようにしても良い。
【０１６０】
また、タッチセンサ５１は容量変化式でなくとも、他の方式で接触を検出するものであっても良い。また、タッチセンサ５１はグリップ部３６全体に設けても良い。また、タッチセンサ５１を複数設けて、ユーザの手等が触れているタッチセンサ５１の数に応じて電子機器から排出される水の量を調整しても良い。
【０１６１】
本実施形態によれば、ユーザが電子機器を握って、ユーザの手がタッチセンサ５１に触れた場合、発電中においては燃料電池型発電部７で生成された水が直接排出されない。そのため、ユーザに湿気を感じさせないようにすることができる。
【０１６２】
〔第７の実施の形態〕
次に、本発明における電子機器１の第７の実施形態について説明する。図１５は、本第実施形態の電子機器１が備える発電部１００の構成を示したブロック図であり、図１６は、本実施形態における電子機器１の回路構成を示すブロック図である。図１５、図１６に示すように、第７実施形態の電子機器１は、第１実施形態の電子機器と次の点で異なる。第７実施形態の電子機器１には回収部８、誘導部１０及び蒸発器１１が設けられず、燃料電池型発電部７から排出された気体状の水を含む排気はバルブ２を介して生成水タンク９に送られる。バルブ４は生成水タンク９の孔１２に通じ、生成水タンク９の水がバルブ４を介して電子機器１の外に排出される。生成水タンク９内には吸湿材が充填されており、これによって排気中の水が吸着される。そして、ヒータ１６が生成水タンク９に設けられているので、ヒータ１６、生成水タンク９及び吸湿材によって蒸発器が構成されている。また、貯留量検出部２６は生成水タンク９内の電気容量、電気抵抗又は質量を測定することによって吸湿材の水分量を生成水タンク９内の水の貯留量として検出する。
【０１６３】
次に、本実施形態における燃料電池制御部２０による処理の流れについて説明する。図１７は、本実施形態における燃料電池制御部２０による処理の流れを示したフローチャートである。
【０１６４】
本実施形態においては、図１７に示すように、まず、燃料電池制御部２０は燃料電池型発電部７を駆動しているか否かをチェックし（ステップＳＦ１）、燃料電池型発電部７によって発電が行われている場合には（ステップＳＦ１：Ｙｅｓ）、燃料電池制御部２０の処理がステップＳＦ２に移行し、燃料電池型発電部７によって発電が行われていない場合には（ステップＳＦ１：Ｎｏ）、燃料電池制御部２０の処理がステップＳＦ８に移行する。
【０１６５】
ステップＳＦ２において、ヒータ１６に電力が供給されているときには、燃料電池制御部２０が電力供給部２５をオフにしてヒータ１６の電力供給を停止する。続いて、燃料電池制御部２０は貯留量検出部２６による貯留量の検出値に基づいて生成水タンク９内の水が満杯であるか否かを判定し（ステップＳＦ３）、生成水タンク９内の水が満杯である場合には（ステップＳＦ３：Ｙｅｓ）、燃料電池制御部２０の処理がステップＳＦ６に移行し、生成水タンク９内の水が満杯でない場合には（ステップＳＦ３：Ｎｏ）、燃料電池制御部２０の処理がステップＳＦ４に移行する。
【０１６６】
ステップＳＦ４において、燃料電池制御部２０は湿度センサ２８による湿度の検出値が所定の閾値Ｍｂを越えたか否かを判定し、湿度センサ２８による湿度の検出値が閾値Ｍｂを越えている場合には（ステップＳＦ４：Ｙｅｓ）、燃料電池制御部２０の処理がステップＳＦ５に移行し、湿度センサ２８による湿度の検出値が閾値Ｍｂ以下である場合には（ステップＳＦ４：Ｎｏ）、燃料電池制御部２０の処理がステップＳＦ７に移行する。
【０１６７】
ステップＳＦ５において、燃料電池制御部２０は、第一バルブ２及び第三バルブ４を開弁するとともに第二バルブ３を閉弁する。そのため、燃料電池型発電部７で生成された水が生成水タンク９内の吸湿材に吸収され、吸湿材に吸収された水以外の気体が生成水タンク９からバルブ４を介して電子機器の外に排出される。ステップＳＦ５の後、燃料電池制御部２０の処理がステップＳＦ１に戻る。
【０１６８】
ステップＳＦ７において、燃料電池制御部２０は、第一バルブ２及び第三バルブ４を閉弁するとともに、第二バルブ３を開弁する。そのため、燃料電池型発電部７で生成された水が気体の状態で第二バルブ３を介して電子機器の外に排出されるが、生成水タンク９の吸湿材には水が吸収されず、吸湿材から蒸発した水が排出されない。ステップＳＦ７の後、燃料電池制御部２０の処理がステップＳＦ１に戻る。
【０１６９】
上記ステップＳＦ３において生成水タンク９内の水が満杯である場合には（ステップＳＦ３：Ｙｅｓ）、燃料電池制御部２０が満杯信号（生成水タンク９内の水が満杯であることを表す信号）を電子機器制御部２９に転送し（ステップＳＦ６）、電子機器制御部２９が表示部３０に表示制御信号を出力することで、水が満杯であることが表示部３０に表示される。そして、燃料電池制御部２０は上記ステップＳＦ７と同様な処理を行った後、燃料電池制御部２０の処理がステップＳＦ１に戻る。
【０１７０】
一方、燃料電池型発電部７によって発電が行われていない場合には（ステップＳＦ１：Ｎｏ）、燃料電池制御部２０は、第一バルブ２及び第二バルブ３を閉弁するとともに、第三バルブ４を開弁する（ステップＳＦ８）。続いて、燃料電池制御部２０は湿度センサ２８による湿度の検出値が所定の閾値Ｍｂを越えたか否かを判定する（ステップＳＦ９）。その結果、湿度センサ２８による湿度の検出値が閾値Ｍｂを越えている場合には（ステップＳＦ９：Ｙｅｓ）、燃料電池制御部２０の処理がステップＳＦ１１に移行し、湿度センサ２８による湿度の検出値が閾値Ｍｂ以下である場合には（ステップＳＦ９：Ｎｏ）、燃料電池制御部２０の処理がステップＳＦ１０に移行する。
【０１７１】
ステップＳＦ１０において、燃料電池制御部２０は、燃料電池制御部２０が電力供給部２５をオンにしてヒータ１６に電力を供給する。そのため、生成水タンク９内の吸湿材に吸収された水がヒータ１６の熱によって蒸散し、その気体状の水がバルブ４を介して電子機器の外部に排出される。ステップＳＦ１０の後、燃料電池制御部２０の処理がステップＳＦ１に戻る。
【０１７２】
ステップＳＦ１１において、ヒータ１６に電力が供給されているときには、燃料電池制御部２０が電力供給部２５をオフにしてヒータ１６の電力供給を停止する。そのため、生成水タンク９内の吸湿材に吸収された水が自然蒸発し、その気体状の水がバルブ４を介して電子機器の外部に排出される。ステップＳＦ１１の後、燃料電池制御部２０の処理がステップＳＦ１に戻る。
【０１７３】
本実施形態によれば、ヒータ１６、生成水タンク９及び吸湿材によって蒸発器が構成されているので、別の蒸発器を設ける必要がなく、電子機器の構造をシンプルとすることができる。
【０１７４】
なお、本実施形態では、ヒータ１６による加熱により生成水タンク９内の水を蒸発させていたが、ヒータ１６の代わりにファン等によって強制対流を生成水タンク９内の吸湿剤に当てることによって蒸発を行っても良い。
また、湿度センサ２８による湿度の検出値が低くなるに従ってヒータ１６の供給電力を小さくするように燃料電池制御部２０が制御しても良い。
【０１７５】
〔第８の実施の形態〕
次に、本発明における電子機器１の第８の実施形態について説明する。図１８は、本第実施形態の電子機器１が備える発電部１００の構成を示したブロック図であり、図１９は、本実施形態における電子機器１の回路構成を示すブロック図である。図１８、図１９に示すように、第８実施形態の電子機器１には、第１実施形態の電子機器の構成要素に加えて、ポンプ６１、水注入部６２及びポンプ駆動部６３が設けられている。生成水タンク９内の少なくとも一部の水はポンプ６１によって吸引され、吸引された水は燃料電池型発電部７の気化器へ送られ、燃料電池型発電部７の発電動作のために再利用するように構成される。燃料容器６には燃料のみが貯留され、水が含まれていない。そのため、燃料容器６から送られた燃料と、生成水タンク９から送られた水が燃料電池型発電部７の気化器で混合される。生成水タンク９には水注入部６２が接続され、ユーザが必要なときに水注入部６２を通じて水を注入すると、その水が生成水タンク９に貯留されるようになっている。
【０１７６】
次に、本実施形態における燃料電池制御部２０による処理の流れについて説明する。図２０は、本実施形態における燃料電池制御部２０による処理の流れを示したフローチャートである。
【０１７７】
本実施形態においては、図２０に示すように、まず、燃料電池制御部２０は燃料電池型発電部７を駆動しているか否かをチェックし（ステップＳＧ１）、燃料電池型発電部７によって発電が行われている場合には（ステップＳＧ１：Ｙｅｓ）、燃料電池制御部２０の処理がステップＳＧ２に移行し、燃料電池型発電部７によって発電が行われていない場合には（ステップＳＧ１：Ｎｏ）、燃料電池制御部２０の処理がステップＳＧ９に移行する。
【０１７８】
ステップＳＧ２において、ヒータ１６に電力が供給されているときには、燃料電池制御部２０が電力供給部２５をオフにしてヒータ１６の電力供給を停止する。そのため、生成水タンク９内の水が蒸発器１１において自然蒸発し、自然蒸発した水が電子機器の外部に排出される。続いて、燃料電池制御部２０は貯留量検出部２６による貯留量の検出値を所定の閾値Ｖｍａｘと比較するとともに（ステップＳＧ３）、貯留量検出部２６による貯留量の検出値を所定量の閾値Ｖｍｉｎと比較する（ステップＳＧ４）。ここで、閾値Ｖｍａｘは生成水タンク９の容量であり、閾値Ｖｍｉｎは生成水タンク９に残っているべき最低限の水の量である。本実施形態においては、生成水タンク９内の水が燃料電池型発電部７の発電動作のために用いられるため、生成水タンク９内には、少なくとも燃料電池型発電部７の起動に必要な量の水が貯留されている必要がある。閾値Ｖｍｉｎはこの燃料電池型発電部７の起動を含む発電動作に必要な量に基づいて設定される。比較の結果、貯留量検出部２６による貯留量の検出値が閾値Ｖｍａｘ以上となって生成水タンク９内の水が満杯である場合には（ステップＳＧ３：Ｙｅｓ）、燃料電池制御部２０の処理がステップＳＧ７に移行し、貯留量検出部２６による貯留量の検出値が閾値Ｖｍａｘ未満であり且つ閾値Ｖｍｉｎを越える場合には（ステップＳＧ４：Ｎｏ）、燃料電池制御部２０の処理がステップＳＧ５に移行し、貯留量検出部２６による貯留量の検出値が閾値Ｖｍｉｎ以下である場合には（ステップＳＧ４：Ｙｅｓ）、燃料電池制御部２０の処理がステップＳＧ６に移行する。
【０１７９】
ステップＳＧ５において、燃料電池制御部２０は湿度センサ２８による湿度の検出値が所定の閾値Ｍｂを越えたか否かを判定し、湿度センサ２８による湿度の検出値が閾値Ｍｂを越えている場合には（ステップＳＧ５：Ｙｅｓ）、燃料電池制御部２０の処理がステップＳＧ６に移行し、湿度センサ２８による湿度の検出値が閾値Ｍｂ以下である場合には（ステップＳＧ６：Ｎｏ）、燃料電池制御部２０の処理がステップＳＧ８に移行する。
【０１８０】
ステップＳＧ６において、燃料電池制御部２０は、第一バルブ２及び第三バルブ４を開弁するとともに第二バルブ３を閉弁する。そのため、燃料電池型発電部７で生成された水が回収部８によって液化されて生成水タンク９に貯留され、回収部８で液化された水以外の気体が回収部８からバルブ４を介して電子機器の外に排出される。ステップＳＧ６の後、燃料電池制御部２０の処理がステップＳＧ１に戻る。
【０１８１】
ステップＳＧ８において、燃料電池制御部２０は、第一バルブ２及び第三バルブ４を閉弁するとともに、第二バルブ３を開弁する。そのため、燃料電池型発電部７で生成された水が第二バルブ３を介して気体の状態で電子機器の外に排出されるが、生成水タンク９には水が送られない。ステップＳＧ７の後、燃料電池制御部２０の処理がステップＳＧ１に戻る。
【０１８２】
上記ステップＳＧ３において生成水タンク９内の水が満杯である場合には（ステップＳＧ３：Ｙｅｓ）、燃料電池制御部２０が満杯信号（生成水タンク９内の水が満杯であることを表す信号）を電子機器制御部２９に転送し（ステップＳＧ７）、電子機器制御部２９が表示部３０に表示制御信号を出力することで、水が満杯であることが表示部３０に表示される。そして、燃料電池制御部２０は上記ステップＳＧ８と同様な処理を行った後、燃料電池制御部２０の処理がステップＳＧ１に戻る。
【０１８３】
一方、燃料電池型発電部７によって発電が行われていない場合には（ステップＳＧ１：Ｎｏ）、所定の閾値Ｖ０と比較するとともに（ステップＳＧ９）、貯留量検出部２６による貯留量の検出値を所定の閾値Ｖｍｉｎと比較する（ステップＳＧ１０）。ここで、閾値Ｖ０は、ゼロ又はゼロに限りになく近い値であって、生成水タンク９内が空になったことを表すものである。また、閾値Ｖ０は閾値Ｖｍｉｎよりも小さい。比較の結果、貯留量検出部２６による貯留量の検出値が閾値Ｖ０以下となって生成水タンク９内の水が空である場合には（ステップＳＧ９：Ｙｅｓ）、燃料電池制御部２０の処理がステップＳＧ１４に移行し、貯留量検出部２６による貯留量の検出値が閾値Ｖ０を越え且つ閾値Ｖｍｉｎ以下である場合には（ステップＳＧ１０：Ｙｅｓ）、燃料電池制御部２０の処理がステップＳＧ１５に移行し、貯留量検出部２６による貯留量の検出値が閾値Ｖｍｉｎを越える場合には（ステップＳＧ１０：Ｎｏ）、燃料電池制御部２０の処理がステップＳＧ１１に移行する。
【０１８４】
ステップＳＧ１１において、燃料電池制御部２０は、電源切替制御部２２から入力される信号に基づき、直流変換部２３により電力供給されているか否かを判定する。その結果、直流変換部２３により電力供給されていない場合には（ステップＳＧ１１：Ｎｏ）、燃料電池制御部２０の処理がステップＳＧ１５に移行し、直流変換部２３により電力供給されている場合には（ステップＳＧ１１：Ｙｅｓ）、燃料電池制御部２０の処理がステップＳＧ１２に移行する。
【０１８５】
ステップＳＧ１２において、燃料電池制御部２０は湿度センサ２８による湿度の検出値が所定の閾値Ｍｂを越えたか否かを判定する。その結果、湿度センサ２８による湿度の検出値が閾値Ｍｂを越えている場合には（ステップＳＧ１２：Ｙｅｓ）、燃料電池制御部２０の処理がステップＳＧ１５に移行し、湿度センサ２８による湿度の検出値が閾値Ｍｂ以下である場合には（ステップＳＧ１２：Ｎｏ）、燃料電池制御部２０の処理がステップＳＧ１３に移行する。
【０１８６】
ステップＳＧ１３において、燃料電池制御部２０は、燃料電池制御部２０が電力供給部２５をオンにしてヒータ１６に電力を供給する。そのため、生成水タンク９内の水が蒸発器１１によって蒸散し、その気体状の水が外部に電子機器の外部に排出される。ステップＳＧ１３の後、燃料電池制御部２０の処理がステップＳＧ１に戻る。
【０１８７】
ステップＳＧ１４において、燃料電池制御部２０が水不足信号（生成水タンク９内の水が空であることを表す信号）を電子機器制御部２９に転送し、電子機器制御部２９が表示部３０に表示制御信号を出力することで、水が空であることが表示部３０に表示される。ステップＳＧ１４の後、燃料電池制御部２０の処理がステップＳＧ１５に移行。
【０１８８】
ステップＳＧ１５において、ヒータ１６に電力が供給されているときには、燃料電池制御部２０が電力供給部２５をオフにしてヒータ１６の電力供給を停止する。そのため、生成水タンク９内の水が蒸発器１１において自然蒸発し、自然蒸発した水が電子機器の外部に排出される。ステップＳＧ１５の後、燃料電池制御部２０の処理がステップＳＧ１に戻る。
【０１８９】
本実施形態によれば、燃料電池型発電部７で生成された水を燃料電池型発電部７の発電のために再利用することができる。そのため、燃料容器６内には水が必要とならない。
【０１９０】
また、発電中において、周囲の湿度が低くても、生成水タンク９内の水の貯留量が少なくなって閾値Ｖｍｉｎ以下になったら、燃料電池型発電部７で生成された水が生成水タンク９に貯留されるので、生成水タンク９内の水が不足しないようにすることができる。また、発電が行われていないときにも、生成水タンク９内の水の貯留量が少なくなって閾値Ｖｍｉｎ以下になったら、蒸発器１１が作動しないので、生成水タンク９内の水が不足しないようにすることができる。
【０１９１】
なお、燃料容器６や別の燃料容器に水を貯留し、生成水タンク９内の水が不足している場合や燃料電池型発電部７が発電を開始する場合に、燃料容器６や別の燃料容器内の水を燃料電池型発電部７に供給しても良い。
また、燃料電池型発電部７の発電開始時に必要な水を生成水タンク９から別のタンクへ随時移送させ、その別のタンクが満杯になった時に、生成水タンク９内の水を蒸発器１１によって全て蒸発させるようにしても良い。この場合、貯留量検出部２６は生成水タンク９内の水の貯留量と別のタンク内の水の貯留量を検出するようにする。
また、上記においては、生成水タンク９内の水が燃料電池型発電部７の気化器に送られて発電動作のために用いられる構成としたが、これに限らず、更に、発電セルの加湿等の他の用途にも用いられるようにしてもよい。
また、ポンプ６１の代わりに燃料電池型発電部７に内蔵のポンプによって、生成水タンク９内の水を燃料電池型発電部７に送るようにしても良い。
また、閾値Ｖｍｉｎは定数ではなく変数であっても良く、例えばユーザによって閾値Ｖｍｉｎを変更できるようにしても良い。
【図面の簡単な説明】
【０１９２】
【図１】本発明における発電部の構成を示すブロック図である。
【図２】本発明の発電部における生成水タンク、誘導部、蒸発器の第１の例を示す断面図である。
【図３】本発明の発電部における生成水タンク、誘導部、蒸発器の第２の例を示す断面図である。
【図４】本発明における電子機器の回路構成の第１の実施形態を示すブロック図である。
【図５】第１の実施形態における燃料電池制御部の処理の流れを示したフローチャートである。
【図６】第２の実施形態における燃料電池制御部の処理の流れを示したフローチャートである。
【図７】第３の実施形態における燃料電池制御部の処理の流れを示したフローチャートである。
【図８】第４の実施形態における燃料電池制御部の処理の流れを示したフローチャートである。
【図９】本発明における電子機器の回路構成の第５の実施形態を示すブロック図である。
【図１０】電子機器の第５の実施形態における側面図である。
【図１１】第５の実施形態における燃料電池制御部の処理の流れを示したフローチャートである。
【図１２】本発明における電子機器の回路構成の第６の実施形態を示すブロック図である。
【図１３】電子機器の第６の実施形態における外観の一例を示す斜視図である。
【図１４】第６の実施形態における燃料電池制御部の処理の流れを示したフローチャートである。
【図１５】第７の実施形態における電子機器の構成を示すブロック図である。
【図１６】第７の実施形態における電子機器の回路構成を示すブロック図である。
【図１７】第７の実施形態における燃料電池制御部の処理の流れを示すフローチャートである。
【図１８】第８の実施形態における電子機器の構成を示すブロック図である。
【図１９】第８の実施形態における電子機器の回路構成を示すブロック図である。
【図２０】第８の実施形態における燃料電池制御部の処理の流れを示すフローチャートである。
【符号の説明】
【０１９３】
９  生成水タンク（貯留部）
７  燃料電池型発電部（発電部）
２、３、４  バルブ
１１  蒸発器
１６  ヒータ
２０  燃料電池制御部（制御部）
２６  貯留量検出部
２８  湿度センサ（湿度検出部）
３１  キー入力部
４１  距離センサ（距離検出部）
５１  タッチセンサ（接触検出部）
１００  発電部
【図１】
2008041499.tif 000003
【図２】
2008041499.tif 000004
【図３】
2008041499.tif 000005
【図４】
2008041499.tif 000006
【図５】
2008041499.tif 000007
【図６】
2008041499.tif 000008
【図７】
2008041499.tif 000009
【図８】
2008041499.tif 000010
【図９】
2008041499.tif 000011
【図１０】
2008041499.tif 000012
【図１１】
2008041499.tif 000013
【図１２】
2008041499.tif 000014
【図１３】
2008041499.tif 000015
【図１４】
2008041499.tif 000016
【図１５】
2008041499.tif 000017
【図１６】
2008041499.tif 000018
【図１７】
2008041499.tif 000019
【図１８】
2008041499.tif 000020
【図１９】
2008041499.tif 000021
【図２０】
2008041499.tif 000022
【手続補正書】
【提出日】平成19年9月21日(2007.9.21)
【手続補正１】
【補正対象書類名】明細書
【補正対象項目名】００９２
【補正方法】変更
【補正の内容】
【００９２】
比較の結果、湿度センサ２８による湿度の検出値が閾値Ｍａを越え閾値Ｍｂ以下である場合には（ステップＳＡ３：Ｎｏ、ステップＳＡ４：Ｎｏ）、燃料電池制御部２０は、第一バルブ２及び第三バルブ４を閉弁するとともに第二バルブ３を開弁する。（ステップＳＡ７）。更に、燃料電池制御部２０は、ヒータ１６に電力が供給されているときには、燃料電池制御部２０が電力供給部２５をオフにしてヒータ１６の電力供給を停止する（ステップＳＡ７）。そのため、燃料電池型発電部７で生成された水蒸気を含む排気が気体の状態で電子機器の外に排出されるとともに、生成水タンク９内の水が蒸発器１１において自然蒸発し、自然蒸発した水が電子機器の外部に排出される。続いて、燃料電池制御部２０の処理がステップＳＡ１に戻る。